(57)【要約】  本開示の一態様では、装置、たとえば、基地局は、送信されたCBGのセットのうちのCBGのサブセットが適切に復号されることに失敗したことを示す、ACK/NACKフィードバックを、UEから受信するように構成され得る。装置は、ACK/NACKフィードバックに基づいて、CBGのサブセットを再送信すること、および、再送信されているCBGを示す情報を送信することを行うようにさらに構成され得る。一構成では、新しいデータのTBが、サブフレーム/スロットにおいて、再送信されるCBGのサブセットとともに送信され得る。一態様では、UEは、受信されたCBGのセットのうちの1つまたは複数のCBGが、UEにおいて適切に復号されることに失敗したと決定すること、および、復号されることに失敗した1つまたは複数のCBGを示す、ACK/NACKフィードバックを送ることを行うように構成され得る。UEは、CBGのセットにおけるCBGの再送信と、再送信されるCBGを示す情報とを受信するようにさらに構成され得る。
2020512741.tif 000002
【特許請求の範囲】
【請求項１】
基地局のワイヤレス通信の方法であって、
送信されたコードブロックグループ(CBG)のセットのうちのCBGのサブセットが適切に復号されることに失敗したことを示す、肯定応答(ACK)/否定ACK(NACK)(ACK/NACK)フィードバックを、ユーザ機器(UE)から受信するステップと、
前記ACK/NACKフィードバックに基づいて、前記CBGのサブセットを再送信するステップと、
再送信されている前記CBGのサブセットを示す情報を送信するステップと
を含む方法。
【請求項２】
前記CBGのサブセットが、サブフレームにおいて再送信され、第1のトランスポートブロック(TB)に対応し、前記方法が、前記サブフレームにおいて、前記UEに、新しいデータに対応する第2のTBの少なくとも一部分を送信するステップをさらに含む、請求項1に記載の方法。
【請求項３】
前記CBGのサブセットが、前記サブフレームにおける第1のシンボルのセットに対応する第1のミニスロットにおいて再送信され、前記第2のTBの前記少なくとも一部分が、前記サブフレームにおける第2のシンボルのセットに対応する第2のミニスロットにおいて送信される、請求項2に記載の方法。
【請求項４】
前記第1のTBが、第1のハイブリッド自動再送要求(HARQ)プロセスに関連付けられ、前記第2のTBが、前記第1のHARQプロセスとは異なる第2のHARQプロセスに関連付けられる、請求項2に記載の方法。
【請求項５】
再送信されている前記CBGのサブセットを示す前記情報が、ダウンリンク制御情報(DCI)メッセージにおいて送信される、請求項1に記載の方法。
【請求項６】
前記DCIメッセージが、前記CBGのサブセットに対応する第1のトランスポートブロック(TB)と、新しいデータに対応する第2のTBとの間のスロット境界、または前記新しいデータに関連付けられた変調およびコーディング方式(MCS)のうちの少なくとも1つをさらに示す、請求項5に記載の方法。
【請求項７】
再送信されている前記CBGのサブセットを示す前記情報が、前記DCIメッセージにおいて明示的に示される、請求項5に記載の方法。
【請求項８】
再送信されている前記CBGのサブセットを示す前記情報が、前記DCIメッセージのサイクリック冗長検査(CRC)ビット内で、前記DCIメッセージにおいて暗黙的に示される、請求項5に記載の方法。
【請求項９】
前記CBGのセットが、第1の多入力多出力(MIMO)送信を介して送信された第1のトランスポートブロック(TB)および第2のTBに対応し、前記第1のTBおよび前記第2のTBが、第1のハイブリッド自動再送要求(HARQ)プロセスに関連付けられ、前記ACK/NACKフィードバックが、前記第1のMIMO送信に応答して受信され、
前記CBGのサブセットが、前記第1のHARQプロセスに関連付けられ、第2のHARQプロセスに関連付けられた新しいデータに対応する1つまたは複数のTBとともに、サブフレームにおいて、第2のMIMO送信を介して再送信される、請求項1に記載の方法。
【請求項１０】
CBGのサイズが、前記CBGが対応するトランスポートブロックのサイズに基づいて構成可能である、請求項1に記載の方法。
【請求項１１】
前記送信されたCBGのセットの各CBGにおけるコードブロック(CB)の数が、再送信されている前記CBGのサブセットの各CBGにおけるCBの数とは異なる、請求項1に記載の方法。
【請求項１２】
ワイヤレス通信のための装置であって、
メモリに結合された少なくとも1つのプロセッサを備え、前記少なくとも1つのプロセッサが、
送信されたコードブロックグループ(CBG)のセットのうちのCBGのサブセットが適切に復号されることに失敗したことを示す、肯定応答(ACK)/否定ACK(NACK)(ACK/NACK)フィードバックを、ユーザ機器(UE)から受信すること、
前記ACK/NACKフィードバックに基づいて、前記CBGのサブセットを再送信すること、および
再送信されている前記CBGのサブセットを示す情報を送信すること
を行うように構成される、装置。
【請求項１３】
前記CBGのサブセットが、サブフレームにおいて再送信され、第1のトランスポートブロック(TB)に対応し、前記少なくとも1つのプロセッサが、前記サブフレームにおいて、前記UEに、新しいデータに対応する第2のTBの少なくとも一部分を送信するようにさらに構成される、請求項12に記載の装置。
【請求項１４】
前記CBGのサブセットが、前記サブフレームにおける第1のシンボルのセットに対応する第1のミニスロットにおいて再送信され、前記第2のTBの前記少なくとも一部分が、前記サブフレームにおける第2のシンボルのセットに対応する第2のミニスロットにおいて送信される、請求項13に記載の装置。
【請求項１５】
再送信されている前記CBGのサブセットを示す前記情報が、ダウンリンク制御情報(DCI)メッセージにおいて送信され、前記DCIメッセージにおいて明示的に示されるか、または前記DCIメッセージのサイクリック冗長検査(CRC)ビット内で、前記DCIメッセージにおいて暗黙的に示される、請求項12に記載の装置。
【請求項１６】
ユーザ機器(UE)のワイヤレス通信の方法であって、
基地局から受信されたコードブロックグループ(CBG)のセットのうちの1つまたは複数のCBGが、前記UEにおいて適切に復号されることに失敗したと決定するステップと、
前記適切に復号されることに失敗した1つまたは複数のCBGを示す、肯定応答(ACK)/否定ACK(NACK)(ACK/NACK)フィードバックを、前記基地局に送るステップと、
前記ACK/NACKフィードバックに応答して、前記CBGのセットのうちのCBGの再送信と、前記CBGのセットのうちの再送信されるCBGを示す情報とを、前記基地局から受信するステップと
を含む方法。
【請求項１７】
前記再送信されるCBGが、第1のトランスポートブロック(TB)に対応し、前記CBGの再送信が、サブフレームにおいて受信され、前記方法が、前記サブフレームにおいて、前記基地局から、第2のTBに対応する新しいデータを受信するステップをさらに含む、請求項16に記載の方法。
【請求項１８】
前記第1のTBが、第1のハイブリッド自動再送要求(HARQ)プロセスに関連付けられ、前記第2のTBが、前記第1のHARQプロセスとは異なる第2のHARQプロセスに関連付けられる、請求項17に記載の方法。
【請求項１９】
前記CBGのセットのうちの前記再送信されるCBGを示す前記情報が、ダウンリンク制御情報(DCI)メッセージにおいて受信され、前記DCIメッセージが、前記CBGのセットのうちの前記再送信されるCBGに対応する第1のトランスポートブロック(TB)と、新しいデータに対応する第2のTBとの間のスロット境界、または前記新しいデータに関連付けられた変調およびコーディング方式(MCS)のうちの少なくとも1つをさらに示す、請求項16に記載の方法。
【請求項２０】
前記CBGのセットのうちの前記再送信されるCBGを示す前記情報が、前記CBGのセットのうちのどのCBGが再送信されているかを示すCBGレベルビットマップとして、前記DCIメッセージにおいて明示的に示される、請求項19に記載の方法。
【請求項２１】
前記CBGのセットのうちの前記再送信されるCBGを示す前記情報が、前記DCIメッセージのサイクリック冗長検査(CRC)ビット内で、前記DCIメッセージにおいて暗黙的に示される、請求項19に記載の方法。
【請求項２２】
前記CBGのセットのうちの前記再送信されるCBGが、前記CRCビットに基づいて決定される、請求項21に記載の方法。
【請求項２３】
前記第1のTBの少なくとも1つの再送信されたCBGが適切に復号されることに失敗したと決定するステップと、
前記第2のTBの復号に成功したと決定するステップと、
第2のACK/NACKフィードバックを、前記基地局に送るステップであって、前記第2のACK/NACKフィードバックが、前記適切に復号されることに失敗した少なくとも1つの再送信されたCBGを示す、CBGレベルACK/NACKと、前記第2のTBの復号に成功したことを示す、TBレベルACKと、前記CBGレベルACK/NACKが前記第1のTBに対応することを示す、インジケータとを含む、ステップと
をさらに含む、請求項17に記載の方法。
【請求項２４】
前記CBGのセットのうちの前記再送信されるCBGを示す前記情報に基づいて、前記CBGの再送信が、前記適切に復号されることに失敗した1つまたは複数のCBGを含むか否かを決定するステップと、
前記CBGの再送信が、前記適切に復号されることに失敗した1つまたは複数のCBGを含むか否かの決定に基づいて、第2のACK/NACKフィードバックを送るステップと
をさらに含む、請求項16に記載の方法。
【請求項２５】
ワイヤレス通信のための装置であって、
メモリに結合された少なくとも1つのプロセッサを備え、前記少なくとも1つのプロセッサが、
基地局から受信されたコードブロックグループ(CBG)のセットのうちの1つまたは複数のCBGが、UEにおいて適切に復号されることに失敗したと決定すること、
前記適切に復号されることに失敗した1つまたは複数のCBGを示す、肯定応答(ACK)/否定ACK(NACK)(ACK/NACK)フィードバックを、前記基地局に送ること、および
前記ACK/NACKフィードバックに応答して、前記CBGのセットのうちのCBGの再送信と、前記CBGのセットのうちの再送信されるCBGを示す情報とを、前記基地局から受信すること
を行うように構成される、装置。
【請求項２６】
前記再送信されるCBGが、第1のトランスポートブロック(TB)に対応し、前記CBGの再送信が、サブフレームにおいて受信され、前記少なくとも1つのプロセッサが、前記サブフレームにおいて、前記基地局から、第2のTBに対応する新しいデータを受信するようにさらに構成される、請求項25に記載の装置。
【請求項２７】
前記CBGのセットのうちの前記再送信されるCBGを示す前記情報が、ダウンリンク制御情報(DCI)メッセージにおいて受信され、前記DCIメッセージが、前記CBGのセットのうちの前記再送信されるCBGに対応する第1のトランスポートブロック(TB)と、新しいデータに対応する第2のTBとの間のスロット境界、または前記新しいデータに関連付けられた変調およびコーディング方式(MCS)のうちの少なくとも1つをさらに示す、請求項25に記載の装置。
【請求項２８】
前記CBGのセットのうちの前記再送信されるCBGを示す前記情報が、前記DCIメッセージのサイクリック冗長検査(CRC)ビット内で、前記DCIメッセージにおいて暗黙的に示される、請求項27に記載の装置。
【請求項２９】
前記少なくとも1つのプロセッサが、
前記CBGのセットのうちの前記再送信されるCBGを示す前記情報に基づいて、前記CBGの再送信が、前記適切に復号されることに失敗した1つまたは複数のCBGを含むか否かを決定すること、および
前記CBGの再送信が、前記1つまたは複数のCBGを含むか否かの決定に基づいて、第2のACK/NACKフィードバックを送ること
を行うようにさらに構成される、請求項25に記載の装置。
【請求項３０】
前記少なくとも1つのプロセッサが、
前記第1のTBの少なくとも1つの再送信されたCBGが適切に復号されることに失敗したと決定すること、
前記第2のTBの復号に成功したと決定すること、および
第2のACK/NACKフィードバックを、前記基地局に送ることであって、前記第2のACK/NACKフィードバックが、前記適切に復号されることに失敗した少なくとも1つの再送信されたCBGを示す、第1のCBGレベルACK/NACKと、前記第2のTBの復号に成功したことを示す、TBレベルACKと、前記第1のCBGレベルACK/NACKが前記第1のTBに対応することを示す、インジケータとを含む、こと
を行うようにさらに構成される、請求項26に記載の装置。
【発明の詳細な説明】
【技術分野】
【０００１】
関連出願の相互参照
本出願は、その全体が参照により本明細書に明確に組み込まれている、2017年3月16日に出願した「MULTI-HARQ METHODS AND APPARATUS FOR CODEBLOCK GROUP BASED TRANSMISSIONS」という名称の米国仮出願第62/472,483号、および2018年3月12日に出願した「MULTI-HARQ METHODS AND APPARATUS FOR CODEBLOCK GROUP BASED TRANSMISSIONS」という名称の米国特許出願第15/919,157号の利益を主張する。
【０００２】
本開示は、一般に通信システムに関し、より詳細には、追加のデータの送信とともに、コードブロックグループ(CBG)再送信をサポートする、方法および装置に関する。
【背景技術】
【０００３】
ワイヤレス通信システムは、電話、ビデオ、データ、メッセージング、およびブロードキャストなどの、様々な電気通信サービスを提供するために広く展開されている。典型的なワイヤレス通信システムは、利用可能なシステムリソースを共有することによって複数のユーザとの通信をサポートすることが可能な多元接続技術を採用し得る。そのような多元接続技術の例には、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および時分割同期符号分割多元接続(TD-SCDMA)システムがある。
【０００４】
これらの多元接続技術は、異なるワイヤレスデバイスが都市、国家、地域、さらには地球レベルで通信することを可能にする共通プロトコルを提供するために、様々な電気通信規格において採用されている。例示的な電気通信規格は5G New Radio(NR)である。5G NRは、レイテンシ、信頼性、セキュリティ、スケーラビリティ(たとえば、モノのインターネット(IoT)との)に関連する新しい要件、および他の要件を満たすように、第3世代パートナーシッププロジェクト(3GPP)によって公表された継続的なモバイルブロードバンドの進化の一部である。5G NRのいくつかの態様は、4Gロングタームエボリューション(LTE)規格に基づくことがある。5G NR技術にはさらなる改善が必要である。これらの改善は、他の多元接続技術、およびこれらの技術を採用する電気通信規格にも適用可能であり得る。
【発明の概要】
【発明が解決しようとする課題】
【０００５】
以下は、1つまたは複数の態様の基本的理解を可能にするために、そのような態様の簡略化された概要を提示する。この概要は、すべての企図される態様の包括的な概説ではなく、すべての態様の主要または重要な要素を識別するものでもなく、いずれかまたはすべての態様の範囲を定めるものでもない。その唯一の目的は、後で提示されるより詳細な説明の導入として、1つまたは複数の態様のいくつかの概念を簡略化された形態で提示することである。
【０００６】
本開示の一態様では、方法、コンピュータ可読媒体、および装置が提供される。装置、たとえば、基地局は、送信されたCBGのセットのうちのCBGのサブセットが適切に復号されることに失敗したことを示す、肯定応答(ACK)/否定ACK(NACK)(ACK/NACK)フィードバックを、ユーザ機器(UE)から受信するように構成され得る。装置は、ACK/NACKフィードバックに基づいて、CBGのサブセットを再送信するようにさらに構成され得る。装置は、再送信されているCBGのサブセットを示す情報を送信するようにさらに構成され得る。いくつかの構成では、CBGのサブセットは、追加の新しいデータとともに、サブフレームにおいて再送信される。
【０００７】
本開示の一態様では、方法、コンピュータ可読媒体、および装置が提供される。装置、たとえば、UEは、基地局から受信されたCBGのセットのうちの1つまたは複数のCBGが、UEにおいて適切に復号されることに失敗したと決定するように構成され得る。装置は、適切に復号されることに失敗した1つまたは複数のCBGを示すACK/NACKフィードバックを、基地局に送るようにさらに構成され得る。装置は、ACK/NACKフィードバックに応答して、CBGのセットにおけるCBGの再送信と、再送信されているCBGのセットにおけるCBGを示す情報とを、基地局から受信するようにさらに構成され得る。
【０００８】
上記の目的および関連の目的を達成するために、1つまたは複数の態様は、以下で十分に説明され、特に特許請求の範囲で指摘される特徴を含む。以下の説明および添付の図面は、1つまたは複数の態様のいくつかの例示的な特徴を詳細に記載している。しかしながら、これらの特徴は、様々な態様の原理が採用され得る様々な方法のうちのいくつかを示すものにすぎず、この説明は、そのようなすべての態様およびそれらの均等物を含むものとする。
【図面の簡単な説明】
【０００９】
【図１】ワイヤレス通信システムおよびアクセスネットワークの一例を示す図である。
【図２Ａ】DLフレーム構造の一例を示す図である。
【図２Ｂ】DLフレーム構造内のDLチャネルの一例を示す図である。
【図２Ｃ】ULフレーム構造の一例を示す図である。
【図２Ｄ】ULフレーム構造内のULチャネルの一例を示す図である。
【図３】アクセスネットワークにおける基地局およびUEの一例を示す図である。
【図４】超高信頼低遅延通信(URLLC)と拡張モバイルブロードバンド(eMBB)通信との間の動的リソース共有がサポートされ得る通信システムにおける、基地局とUEとの間のシグナリング交換を示す図である。
【図５】提案する方法の様々な特徴が利用され得る通信システムにおける、基地局とUEとの間のシグナリング交換を示す図である。
【図６】基地局とUEとの間のシグナリング交換の1つの具体例を示す図である。
【図７】複数のACK/NACKフィードバックがCBG再送信のために関与し得る場合における、基地局とUEとの間のシグナリング交換の別の例を示す図である。
【図８】基地局のワイヤレス通信の方法のフローチャートである。
【図９】UEのワイヤレス通信の方法のフローチャートである。
【図１０】例示的な装置における異なる手段/構成要素間のデータフローを示す概念データフロー図である。
【図１１】処理システムを採用する装置のためのハードウェア実装形態の一例を示す図である。
【図１２】別の例示的な装置における異なる手段/構成要素間のデータフローを示す概念データフロー図である。
【図１３】処理システムを採用する装置のためのハードウェア実装形態の一例を示す図である。
【発明を実施するための形態】
【００１０】
添付の図面に関して以下に記載する発明を実施するための形態は、様々な構成について説明するものであり、本明細書で説明する概念が実践され得る唯一の構成を表すものではない。発明を実施するための形態は、様々な概念の完全な理解を与える目的で、具体的な詳細を含む。しかしながら、これらの概念はこれらの具体的な詳細なしに実践され得ることが、当業者には明らかであろう。いくつかの事例では、そのような概念を不明瞭にすることを避けるために、よく知られている構造および構成要素がブロック図の形態で示される。
【００１１】
以下で、電気通信システムのいくつかの態様を、様々な装置および方法を参照しながら提示する。これらの装置および方法について、以下の発明を実施するための形態において説明し、(「要素」と総称される)様々なブロック、構成要素、回路、プロセス、アルゴリズムなどによって添付の図面に示す。これらの要素は、電子ハードウェア、コンピュータソフトウェア、またはそれらの任意の組合せを使用して実装される場合がある。そのような要素がハードウェアとして実装されるか、またはソフトウェアとして実装されるかは、特定の適用例および全体的なシステムに課される設計制約に依存する。
【００１２】
例として、要素、または要素の任意の部分、または要素の任意の組合せは、1つまたは複数のプロセッサを含む「処理システム」として実装され得る。プロセッサの例には、マイクロプロセッサ、マイクロコントローラ、グラフィックス処理装置(GPU)、中央処理装置(CPU)、アプリケーションプロセッサ、デジタル信号プロセッサ(DSP)、縮小命令セットコンピューティング(RISC)プロセッサ、システムオンチップ(SoC)、ベースバンドプロセッサ、フィールドプログラマブルゲートアレイ(FPGA)、プログラマブル論理デバイス(PLD)、ステートマシン、ゲート論理、個別ハードウェア回路、および本開示全体にわたって説明する様々な機能を実行するように構成された他の好適なハードウェアがある。処理システムの中の1つまたは複数のプロセッサは、ソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアコンポーネント、アプリケーション、ソフトウェアアプリケーション、ソフトウェアパッケージ、ルーチン、サブルーチン、オブジェクト、実行ファイル、実行スレッド、プロシージャ、関数などを意味するように広く解釈されるべきである。
【００１３】
したがって、1つまたは複数の例示的な実施形態では、説明する機能は、ハードウェア、ソフトウェア、またはそれらの任意の組合せで実装され得る。ソフトウェアで実装される場合、機能は、コンピュータ可読媒体上に記憶されるか、またはコンピュータ可読媒体上に1つもしくは複数の命令もしくはコードとして符号化され得る。コンピュータ可読媒体は、コンピュータ記憶媒体を含む。記憶媒体は、コンピュータによってアクセス可能な任意の利用可能な媒体であり得る。限定ではなく例として、そのようなコンピュータ可読媒体は、ランダムアクセスメモリ(RAM)、読取り専用メモリ(ROM)、電気的消去可能プログラマブルROM(EEPROM)、光ディスクストレージ、磁気ディスクストレージ、他の磁気ストレージデバイス、上述のタイプのコンピュータ可読媒体の組合せ、または、コンピュータによってアクセス可能な命令もしくはデータ構造の形態のコンピュータ実行可能コードを記憶するために使用可能な任意の他の媒体を備え得る。
【００１４】
図1は、ワイヤレス通信システムおよびアクセスネットワーク100の一例を示す図である。(ワイヤレスワイドエリアネットワーク(WWAN)とも呼ばれる)ワイヤレス通信システムは、基地局102と、UE104と、発展型パケットコア(EPC)160とを含む。基地局102は、マクロセル(高電力セルラー基地局)および/またはスモールセル(低電力セルラー基地局)を含み得る。マクロセルは基地局を含む。スモールセルは、フェムトセル、ピコセル、およびマイクロセルを含む。
【００１５】
(発展型ユニバーサルモバイルテレコミュニケーションズシステム(UMTS)地上波無線アクセスネットワーク(E-UTRAN)と総称される)基地局102は、バックホールリンク132(たとえば、S1インターフェース)を通してEPC160とインターフェースする。他の機能に加えて、基地局102は、以下の機能、すなわち、ユーザデータの転送、無線チャネルの暗号化および解読、完全性保護、ヘッダ圧縮、モビリティ制御機能(たとえば、ハンドオーバ、デュアル接続性)、セル間干渉協調、接続セットアップおよび解放、負荷分散、非アクセス層(NAS)メッセージのための分配、NASノード選択、同期、無線アクセスネットワーク(RAN)共有、マルチメディアブロードキャストマルチキャストサービス(MBMS)、加入者および機器トレース、RAN情報管理(RIM)、ページング、測位、ならびに警告メッセージの配信のうちの1つまたは複数を実行し得る。基地局102は、バックホールリンク134(たとえば、X2インターフェース)上で互いに直接的または(たとえば、EPC160を介して)間接的に通信することができる。バックホールリンク134は、ワイヤードまたはワイヤレスであり得る。
【００１６】
基地局102は、UE104とワイヤレス通信し得る。基地局102の各々は、それぞれの地理的カバレージエリア110に通信カバレージを提供し得る。重複する地理的カバレージエリア110が存在することがある。たとえば、スモールセル102'は、1つまたは複数のマクロ基地局102のカバレージエリア110と重複するカバレージエリア110'を有することがある。スモールセルとマクロセルの両方を含むネットワークは、異種ネットワークとして知られていることがある。異種ネットワークは、限定加入者グループ(CSG)として知られる限定グループにサービスを提供し得るホーム発展型ノードB(eNB)(HeNB)を含むこともある。基地局102とUE104との間の通信リンク120は、UE104から基地局102への(逆方向リンクとも呼ばれる)アップリンク(UL)送信、および/または基地局102からUE104への(順方向リンクとも呼ばれる)ダウンリンク(DL)送信を含むことがある。通信リンク120は、空間多重化、ビームフォーミング、および/または送信ダイバーシティを含む、多入力多出力(MIMO)アンテナ技術を使用し得る。通信リンクは、1つまたは複数のキャリアを介することがある。基地局102/UE104は、各方向における送信に使用される合計Yx MHz(x個のコンポーネントキャリア)までのキャリアアグリゲーションにおいて割り振られた、キャリア当たりY MHz(たとえば、5、10、15、20、100MHz)までの帯域幅のスペクトルを使用することができる。キャリアは、互いに隣接することも、隣接しないこともある。キャリアの割振りは、DLおよびULに関して非対称であり得る(たとえば、DLに対して、ULよりも多数または少数のキャリアが割り振られ得る)。コンポーネントキャリアは、1次コンポーネントキャリアと、1つまたは複数の2次コンポーネントキャリアとを含み得る。1次コンポーネントキャリアは1次セル(PCell)と呼ばれることがあり、2次コンポーネントキャリアは2次セル(SCell)と呼ばれることがある。
【００１７】
ワイヤレス通信システムは、5GHz無認可周波数スペクトル内で通信リンク154を介してWi-Fi局(STA)152と通信しているWi-Fiアクセスポイント(AP)150をさらに含み得る。無認可周波数スペクトル内で通信するとき、STA152/AP150は、チャネルが利用可能であるか否かを決定するために、通信するより前にクリアチャネルアセスメント(CCA)を実行し得る。
【００１８】
スモールセル102'は、認可および/または無認可周波数スペクトル内で動作し得る。無認可周波数スペクトル内で動作しているとき、スモールセル102'は、NRを採用し、Wi-Fi AP150によって使用されるのと同じ5GHz無認可周波数スペクトルを使用し得る。無認可周波数スペクトル内でNRを採用するスモールセル102'は、アクセスネットワークへのカバレージを拡大し、かつ/またはアクセスネットワークの容量を増やし得る。
【００１９】
gノードB(gNB)180は、UE104と通信するときにミリメートル波(mmW)周波数および/または準mmW周波数(near mmW frequency)で動作し得る。gNB180がmmW周波数または準mmW周波数で動作するとき、gNB180はmmW基地局と呼ばれ得る。極高周波数(EHF:extremely high frequency)は、電磁スペクトルにおいてRFの一部である。EHFは、30GHz〜300GHzの範囲および1ミリメートルから10ミリメートルの間の波長を有する。この帯域における電波は、ミリメートル波と呼ばれることがある。準mmWは、100ミリメートルの波長を有し、3GHzの周波数まで及ぶことがある。超高周波数(SHF:super high frequency)帯域は、センチメートル波とも呼ばれ、3GHzから30GHzの間に及ぶ。mmW/準mmW無線周波数帯域を使用する通信は、極めて高い経路損失および短い範囲を有する。mmW基地局180は、極めて高い経路損失および短い範囲を補償するために、UE104に対してビームフォーミング184を利用し得る。
【００２０】
EPC160は、モビリティ管理エンティティ(MME)162と、他のMME164と、サービングゲートウェイ166と、マルチメディアブロードキャストマルチキャストサービス(MBMS)ゲートウェイ168と、ブロードキャストマルチキャストサービスセンター(BM-SC)170と、パケットデータネットワーク(PDN)ゲートウェイ172とを含み得る。MME162は、ホーム加入者サーバ(HSS)174と通信していることがある。MME162は、UE104とEPC160との間のシグナリングを処理する制御ノードである。一般に、MME162はベアラと接続管理とを提供する。すべてのユーザインターネットプロトコル(IP)パケットは、サービングゲートウェイ166を通じて転送され、サービングゲートウェイ166自体はPDNゲートウェイ172に接続される。PDNゲートウェイ172は、UEのIPアドレス割振りならびに他の機能を提供する。PDNゲートウェイ172およびBM-SC170は、IPサービス176に接続される。IPサービス176は、インターネット、イントラネット、IPマルチメディアサブシステム(IMS)、PSストリーミングサービス(PSS)、および/または他のIPサービスを含み得る。BM-SC170は、MBMSユーザサービスのプロビジョニングおよび配信のための機能を提供し得る。BM-SC170は、コンテンツプロバイダMBMS送信のためのエントリポイントとして働くことがあり、パブリックランドモバイルネットワーク(PLMN)内のMBMSベアラサービスを認可および開始するために使用されることがあり、MBMS送信をスケジュールするために使用されることがある。MBMSゲートウェイ168は、特定のサービスをブロードキャストするマルチキャストブロードキャスト単一周波数ネットワーク(MBSFN)エリアに属する基地局102にMBMSトラフィックを配信するために使用されることがあり、セッション管理(開始/停止)およびeMBMS関係の課金情報を収集することを担うことがある。
【００２１】
基地局は、一般性を失わずに、gNB、ノードB、発展型ノードB(eNB)、アクセスポイント、トランシーバ基地局、無線基地局、無線トランシーバ、トランシーバ機能、基本サービスセット(BSS)、拡張サービスセット(ESS)、または他の何らかの好適な用語で呼ばれることもある。基地局102は、UE104のためにEPC160へのアクセスポイントを提供する。UE104の例には、携帯電話、スマートフォン、セッション開始プロトコル(SIP)電話、ラップトップ、携帯情報端末(PDA)、衛星無線、全地球測位システム、マルチメディアデバイス、ビデオデバイス、デジタルオーディオプレーヤ(たとえば、MP3プレーヤ)、カメラ、ゲーム機、タブレット、スマートデバイス、ウェアラブルデバイス、車両、電気メーター、ガスポンプ、トースター、または任意の他の同様の機能デバイスがある。UE104の一部は、IoTデバイス(たとえば、パーキングメーター、ガスポンプ、トースター、車両など)と呼ばれることがある。UE104は、局、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００２２】
再び図1を参照すると、いくつかの態様では、UE104は、基地局(たとえば、基地局180/102)から受信されたコードブロックグループ(CBG)のセットのうちの1つまたは複数のCBGが、UEにおいて適切に復号されることに失敗したと決定すること、適切に復号されることに失敗した1つまたは複数のCBGを示すACK/NACKフィードバックを、基地局に送ること、および、基地局からのCBGのセットのうちのCBGの再送信と、CBGのセットのうちの再送信されるCBGを示す情報とを受信することを行うように構成され得る(198)。基地局180/102は、CBGのサブセット(たとえば、1つまたは複数のCBG)が適切に復号されることに失敗したことを示す、ACK/NACKフィードバックを、UE104から受信すること、ACK/NACKフィードバックに基づいて、どのCBGを再送信するべきかを決定すること、ACK/NACKフィードバックに基づいて決定されたCBGを再送信すること、および、どのCBGが再送信されているかを示す情報を送信することを行うように構成され得る(198)。具体的な例では、基地局180/102から受信されたCBGのセットのうちの各CBGは、より長いトランスポートブロック(TB)の一部分を表し得、UE104は、復号することに失敗したTBの特定のCBGの、ビットマップまたは他の好適な表現などのCBGレベルフィードバックを提供し得る。受信されたフィードバックに基づいて、基地局180/102は、どのCBGが必要とされるかを決定し得、新しいTBの部分を用いた再送信において、UE104にCBGを送り得る。CBGレベル再送信および新しいTBの部分は、異なるHARQプロセス識別子の下で管理されているが、(サブフレームの)同じスロットにおいて発生し得る。次いで、UE104は、再送信のどの部分が、再送信されるCBGを表すかを決定すること、失敗されたCBGが適切に受信されたことを検証すること、再送信されたCBGおよび新しいTBの部分を復号すること、ならびに、復号が成功するか、またはプロセスが終了されるまで、CBGレベルフィードバックを続けることを行い得る。本明細書で開示する技法は、低レイテンシ動作と、エアリンクリソースの効率的な使用とをサポートする。
【００２３】
図2Aは、DLフレーム構造の一例を示す図200である。図2Bは、DLフレーム構造内のチャネルの一例を示す図230である。図2Cは、ULフレーム構造の一例を示す図250である。図2Dは、ULフレーム構造内のチャネルの一例を示す図280である。他のワイヤレス通信技術は、異なるフレーム構造および/または異なるチャネルを有することがある。フレーム(10ms)は、等しいサイズの10個のサブフレームに分割され得る。各サブフレームは、2つの連続するタイムスロットを含み得る。2つのタイムスロットを表すためにリソースグリッドが使用される場合があり、各タイムスロットは、1つまたは複数の(物理RB(PRB)とも呼ばれる)時間同時の(time concurrent)リソースブロック(RB)を含む。リソースグリッドは、複数のリソース要素(RE)に分割される。ノーマルサイクリックプレフィックスの場合、RBは、合計84個のREについて、周波数領域において12個の連続するサブキャリアを含み、時間領域において7つの連続するシンボル(DLの場合はOFDMシンボル、ULの場合はSC-FDMAシンボル)を含む。拡張サイクリックプレフィックスの場合、RBは、合計72個のREについて、周波数領域において12個の連続するサブキャリアを含み、時間領域において6つの連続するシンボルを含む。各REによって搬送されるビット数は、変調方式に依存する。
【００２４】
図2Aに示すように、REのうちのいくつかは、UEにおけるチャネル推定のためのDL基準(パイロット)信号(DL-RS)を搬送する。DL-RSは、(共通RSと呼ばれることもある)セル固有基準信号(CRS)と、UE固有基準信号(UE-RS)と、チャネル状態情報基準信号(CSI-RS)とを含み得る。図2Aは、(それぞれ、R0、R1、R2、およびR3として示された)アンテナポート0、1、2、および3のためのCRSと、(R5として示された)アンテナポート5のためのUE-RSと、(Rとして示された)アンテナポート15のためのCSI-RSとを示す。図2Bは、フレームのDLサブフレーム内の様々なチャネルの一例を示す。物理制御フォーマットインジケータチャネル(PCFICH)は、スロット0のシンボル0内にあり、物理ダウンリンク制御チャネル(PDCCH)が1つのシンボルを占有するか、2つのシンボルを占有するか、または3つのシンボルを占有するかを示す制御フォーマットインジケータ(CFI)を搬送する(図2Bは、3つのシンボルを占有するPDCCHを示す)。PDCCHは、1つまたは複数の制御チャネル要素(CCE)内でダウンリンク制御情報(DCI)を搬送し、各CCEは、9つのREグループ(REG)を含み、各REGは、OFDMシンボルにおいて4つの連続するREを含む。UEは、DCIも搬送するUE固有の拡張PDCCH(ePDCCH)で構成されることがある。ePDCCHは、2つ、4つ、または8つのRBペアを有することがある(図2Bは2つのRBペアを示し、各サブセットは1つのRBペアを含む)。物理ハイブリッド自動再送要求(ARQ)(HARQ)インジケータチャネル(PHICH)もスロット0のシンボル0内にあり、物理アップリンク共有チャネル(PUSCH)に基づいて、HARQ肯定応答(ACK)/否定ACK(NACK)フィードバックを示す、HARQインジケータ(HI)を搬送する。1次同期チャネル(PSCH)は、フレームのサブフレーム0および5内のスロット0のシンボル6内にあり得る。PSCHは、サブフレーム/シンボルのタイミングおよび物理レイヤ識別情報を決定するためにUEによって使用される、1次同期信号(PSS)を搬送する。2次同期チャネル(SSCH)は、フレームのサブフレーム0および5内のスロット0のシンボル5内にあり得る。SSCHは、物理レイヤセル識別情報グループ番号および無線フレームタイミングを決定するためにUEによって使用される、2次同期信号(SSS)を搬送する。物理レイヤ識別情報および物理レイヤセル識別情報グループ番号に基づいて、UEは物理セル識別子(PCI)を決定することができる。PCIに基づいて、UEは上述のDL-RSの位置を決定することができる。マスター情報ブロック(MIB)を搬送する物理ブロードキャストチャネル(PBCH)は、PSCHおよびSSCHと論理的にグループ化されて、同期信号(SS)ブロックを形成し得る。MIBは、DLシステム帯域幅の中のRBの数と、PHICH構成と、システムフレーム番号(SFN)とを提供する。物理ダウンリンク共有チャネル(PDSCH)は、ユーザデータと、システム情報ブロック(SIB)などのPBCHを通じて送信されないブロードキャストシステム情報と、ページングメッセージとを搬送する。
【００２５】
図2Cに示すように、REの一部は、基地局におけるチャネル推定のための復調基準信号(DM-RS)を搬送する。UEは追加で、サブフレームの最終シンボルにおいてサウンディング基準信号(SRS)を送信することがある。SRSはコム構造を有することがあり、UEは、コムのうちの1つの上でSRSを送信することがある。SRSは、UL上での周波数依存スケジューリングを可能にするために、チャネル品質推定のために基地局によって使用され得る。図2Dは、フレームのULサブフレーム内の様々なチャネルの一例を示す。物理ランダムアクセスチャネル(PRACH)は、PRACH構成に基づいてフレーム内の1つまたは複数のサブフレーム内にあり得る。PRACHは、サブフレーム内に6つの連続するRBペアを含み得る。PRACHにより、UEが初期システムアクセスを実行し、UL同期を実現することが可能になる。物理アップリンク制御チャネル(PUCCH)は、ULシステム帯域幅の端に位置することがある。PUCCHは、スケジューリング要求、チャネル品質インジケータ(CQI)、プリコーディング行列インジケータ(PMI)、ランクインジケータ(RI)、およびHARQ ACK/NACKフィードバックなどのアップリンク制御情報(UCI)を搬送する。PUSCHは、データを搬送し、バッファステータス報告(BSR)、パワーヘッドルーム報告(PHR)、および/またはUCIを搬送するためにさらに使用されることがある。
【００２６】
図3は、アクセスネットワークにおいてUE350と通信している基地局310のブロック図である。DLでは、EPC160からのIPパケットがコントローラ/プロセッサ375に提供され得る。コントローラ/プロセッサ375は、レイヤ3およびレイヤ2の機能を実装する。レイヤ3は無線リソース制御(RRC)レイヤを含み、レイヤ2は、パケットデータコンバージェンスプロトコル(PDCP)レイヤと、無線リンク制御(RLC)レイヤと、媒体アクセス制御(MAC)レイヤとを含む。コントローラ/プロセッサ375は、システム情報(たとえば、MIB、SIB)のブロードキャスティング、RRC接続制御(たとえば、RRC接続ページング、RRC接続確立、RRC接続修正、およびRRC接続解放)、無線アクセス技術(RAT)間モビリティ、ならびにUE測定報告のための測定構成に関連するRRCレイヤ機能と、ヘッダ圧縮/解凍、セキュリティ(暗号化、解読、完全性保護、完全性検証)、およびハンドオーバサポート機能に関連するPDCPレイヤ機能と、上位レイヤパケットデータユニット(PDU)の転送、ARQを介した誤り訂正、RLCサービスデータユニット(SDU)の連結、セグメンテーション、およびリアセンブリ、RLCデータPDUの再セグメンテーション、ならびにRLCデータPDUの並べ替えに関連するRLCレイヤ機能と、論理チャネルとトランスポートチャネルとの間のマッピング、トランスポートブロック(TB)上へのMAC SDUの多重化、TBからのMAC SDUの逆多重化、スケジューリング情報報告、HARQを介した誤り訂正、優先度処理、および論理チャネル優先順位付けに関連するMACレイヤ機能とを提供する。
【００２７】
送信(TX)プロセッサ316および受信(RX)プロセッサ370は、様々な信号処理機能に関連するレイヤ1機能を実装する。物理(PHY)レイヤを含むレイヤ1は、トランスポートチャネル上の誤り検出と、トランスポートチャネルの前方誤り訂正(FEC)コーディング/復号と、インターリービングと、レートマッチングと、物理チャネル上へのマッピングと、物理チャネルの変調/復調と、MIMOアンテナ処理とを含むことがある。TXプロセッサ316は、様々な変調方式(たとえば、2位相シフトキーイング(BPSK)、4位相シフトキーイング(QPSK)、M位相シフトキーイング(M-PSK)、M直交振幅変調(M-QAM))に基づく信号コンスタレーションへのマッピングを扱う。次いで、コード化および被変調シンボルは、並列ストリームに分離され得る。各ストリームは、次いで、時間領域OFDMシンボルストリームを搬送する物理チャネルを生成するために、OFDMサブキャリアにマッピングされ、時間領域および/または周波数領域内で基準信号(たとえば、パイロット)と多重化され、次いで、逆高速フーリエ変換(IFFT)を使用して一緒に合成され得る。OFDMストリームは、複数の空間ストリームを生成するために空間的にプリコーディングされる。チャネル推定器374からのチャネル推定値は、コーディングおよび変調方式を決定するために、ならびに空間処理のために使用されることがある。チャネル推定値は、UE350によって送信された基準信号および/またはチャネル状態フィードバックから導出されることがある。各空間ストリームは、次いで、別個の送信機318TXを介して異なるアンテナ320に提供され得る。各送信機318TXは、送信のためにそれぞれの空間ストリームを用いてRFキャリアを変調し得る。
【００２８】
UE350において、各受信機354RXは、そのそれぞれのアンテナ352を通して信号を受信する。各受信機354RXは、RFキャリア上に変調された情報を復元し、その情報を受信(RX)プロセッサ356に提供する。TXプロセッサ368およびRXプロセッサ356は、様々な信号処理機能に関連するレイヤ1機能を実装する。RXプロセッサ356は、UE350に向けられた任意の空間ストリームを復元するために、情報に対して空間処理を実行し得る。複数の空間ストリームは、UE350に向けられている場合、RXプロセッサ356によって単一のOFDMシンボルストリームに結合され得る。次いで、RXプロセッサ356は、高速フーリエ変換(FFT)を使用して、OFDMAシンボルストリームを時間領域から周波数領域に変換する。周波数領域信号は、OFDM信号のサブキャリアごとに別個のOFDMシンボルストリームを備える。各サブキャリア上のシンボル、および基準信号は、基地局310によって送信された最も可能性の高い信号コンスタレーションポイントを決定することによって、復元および復調される。これらの軟判定は、チャネル推定器358によって計算されたチャネル推定値に基づき得る。次いで、軟判定は、復号およびデインターリーブされて、物理チャネル上で基地局310によって最初に送信されたデータおよび制御信号を復元する。データおよび制御信号は、次いで、レイヤ3およびレイヤ2の機能を実装するコントローラ/プロセッサ359に提供される。
【００２９】
コントローラ/プロセッサ359は、プログラムコードとデータとを記憶するメモリ360に関連付けられ得る。メモリ360は、コンピュータ可読媒体と呼ばれることがある。ULでは、コントローラ/プロセッサ359は、EPC160からのIPパケットを復元するために、トランスポートチャネルと論理チャネルとの間の逆多重化と、パケットリアセンブリと、解読と、ヘッダ解凍と、制御信号処理とを行う。コントローラ/プロセッサ359はまた、HARQ動作をサポートするために、ACKおよび/またはNACKプロトコルを使用した誤り検出を担う。
【００３０】
基地局310によるDL送信に関して説明した機能と同様に、コントローラ/プロセッサ359は、システム情報(たとえば、MIB、SIB)収集、RRC接続、および測定報告に関連するRRCレイヤ機能と、ヘッダ圧縮/解凍、およびセキュリティ(暗号化、解読、完全性保護、完全性検証)に関連するPDCPレイヤ機能と、上位レイヤPDUの転送、ARQを介した誤り訂正、RLC SDUの連結、セグメンテーション、およびリアセンブリ、RLCデータPDUの再セグメンテーション、ならびにRLCデータPDUの並べ替えに関連するRLCレイヤ機能と、論理チャネルとトランスポートチャネルとの間のマッピング、TB上へのMAC SDUの多重化、TBからのMAC SDUの逆多重化、スケジューリング情報報告、HARQを介した誤り訂正、優先度処理、および論理チャネル優先順位付けに関連するMACレイヤ機能とを提供する。
【００３１】
基地局310によって送信された基準信号またはフィードバックからチャネル推定器358によって導出されたチャネル推定値は、適切なコーディングおよび変調方式を選択し、空間的処理を容易にするために、TXプロセッサ368によって使用され得る。TXプロセッサ368によって生成された空間ストリームは、別個の送信機354TXを介して異なるアンテナ352に提供されることがある。各送信機354TXは、送信のためにそれぞれの空間ストリームでRFキャリアを変調し得る。
【００３２】
UL送信は、UE350における受信機機能に関して説明した方法と同様の方法で基地局310において処理される。各受信機318RXは、受信機のそれぞれのアンテナ320を通じて信号を受信する。各受信機318RXは、RFキャリア上に変調された情報を復元し、その情報をRXプロセッサ370に提供する。
【００３３】
コントローラ/プロセッサ375は、プログラムコードとデータとを記憶するメモリ376に関連付けられ得る。メモリ376は、コンピュータ可読媒体と呼ばれることがある。ULでは、コントローラ/プロセッサ375は、UE350からのIPパケットを復元するために、トランスポートチャネルと論理チャネルとの間の逆多重化と、パケットリアセンブリと、解読と、ヘッダ解凍と、制御信号処理とを行う。コントローラ/プロセッサ375からのIPパケットは、EPC160に提供されることがある。コントローラ/プロセッサ375はまた、HARQ動作をサポートするために、ACKおよび/またはNACKプロトコルを使用した誤り検出を担う。
【００３４】
本明細書で説明するように、コントローラ/プロセッサ359/375は、それにおいて、デバイスが部分的TB、たとえば、TBの1つまたは複数のCBGの再送信を要求し、それを通して、新しいデータおよび再送信されるCBGが同じリソース割振りの一部を形成し得る、CBGレベルにおけるHARQ動作をサポートする。
【００３５】
LTEシステムおよびNRシステムは、URLLCなどの厳しいレイテンシおよび/または信頼性要件を有する多数の多様なアプリケーションと、eMBBなどの他のアプリケーションとをサポートする。URLLC通信およびeMBB通信は、異なる送信持続時間に基づいて送信される。たとえば、eMBB送信は、たとえば、スロットベースの送信を用いて、より長い持続時間を有し得、URLLC送信は、たとえば、ミニスロットベースの送信を用いて、より短い持続時間を有し得る。NRシステムでは、たとえば、URLLCとeMBBとの間の動的リソース共有が、たとえば、インジケータチャネルを用いてサポートされ得る。たとえば、進行中のeMBB通信によって占有されるリソースは、URLLCタイプ送信のためにパンクチャ/プリエンプトされ得る。そのようなシナリオでは、デバイス、たとえば、基地局は、影響を受けるeMBBリソースに関して、パンクチャ/プリエンプトされたeMBBリソース上のeMBBタイプデータを期待している場合があるUEに、URLLCプリエンプション/パンクチャの指示を提供して、UEによる、影響を受けるeMBBデータの現在の送信および後続の(再)送信の復調および復号を容易にし得る。CBGレベルACK/NACKフィードバックを用いて、UEは、1つまたは複数の送信されたCBGおよび/またはコードブロック(CB)の復号の失敗を、基地局に示し得る。この手法は、純粋なTBレベルフィードバックよりも柔軟であり、リソースのより効率的な使用を可能にし、重複する情報の送信および処理に関連するレイテンシを潜在的に低減する。たとえば、PDSCHによって搬送されるユーザデータおよび/またはシステム情報は、TBを表し得るCBのセットにおいてコーディングされ得る。TBにおけるPDSCH CBは、CBGに収集/グループ化され得る。CBGレベルACK/NACKフィードバックを介して、UEは、たとえば、リソースパンクチャリング、雑音、および/またはチャネル干渉などの影響のために、1つまたは複数のCBGのうちのどれが適切に復号されていないかを、基地局に示し得る。多数のそのようなシナリオでは、CBGレベルACK/NACKフィードバックは、前の送信において失敗されたCBおよび/またはCBGの、UEによる効率的な復元を容易にし得る。
【００３６】
図4は、URLLCとeMBBとの間の動的リソース共有をサポートする通信システムにおける、基地局402とUE404との間のシグナリング交換を示す図400である。図示のように、たとえば、URLLCタイプ通信とeMBBタイプ通信との間の動的リソース共有が発生し、eMBBリソースがURLLCタイプ送信のためにパンクチャ/プリエンプトされるとき、基地局402とUE404との間のハンドシェイクのいくつかのラウンドがあり得る。たとえば、eMBB通信が進行中である間、基地局402がURLLCデータを送る必要があることを考えられたい。URLLCとeMBBとの間の動的リソース共有がサポートされるので、基地局402は、それにおいてeMBBデータがコーディングされる1つまたは複数のリソース(たとえば、時間周波数リソース)、たとえば、eMBB通信に対応するCBGのためのリソースをパンクチャ/プリエンプトし得る。一態様では、基地局402は、たとえば、URLLCデータのための、リソースパンクチャリングのために影響を受ける/影響されるeMBBリソースを示す、パンクチャリング/プリエンプション指示(たとえば、URLLC指示)410を、UE404に送り得る。そのようなパンクチャリング指示を提供することによって、現在の送信においてURLLCデータに置き換えられたeMBBデータ、たとえば、eMBBデータに対応するCBGの、現在の送信および後続の(再)送信の復調および復号が容易になる。パンクチャリング指示410を受信すると、UE404は、示されたパンクチャされたeMBBリソースにおいて期待されたeMBBデータに対応するCBGが破損する場合があり、復号されない場合があると決定し得る。UEは、影響を受けないリソースにおけるeMBBデータに対応するCBGを復号し得るが、UE404は、影響を受けた、たとえば、パンクチャされたeMBBリソースにおけるCBGを適切に復号することに失敗し得る。したがって、UEは、影響を受けたリソースにおいて受信されたデータに対応する対数尤度比(LLR)をヌルアウトし得る。次に、UE404は、UEが復号に失敗したCBGを示す、マルチビットHARQフィードバック、たとえば、マルチビットACK/NACKフィードバックを基地局402に送り、それによって、基地局402が、どのCBGが再送信される必要があるかを決定することを可能にし得る。次に、基地局402が、ACK/NACKフィードバックを適切に復号して、どのCBGが再送信される必要があるかを決定すると仮定すると、基地局402は、UE404が前の送信において復号に失敗したCBGを、UE404に再送信し得る(414)。UE404は、CBGを受信し、受信の成功後にCBGを復号し得る。
【００３７】
再送信機構は、前の送信において復号に失敗したCB/CBGの復元を容易にするが、CBG再送信が、HARQプロセスごとに1つのTBに制限され得ることに留意されたい。ただし、そのような再送信の制約は、再送信スロットにおけるリソースの非効率的な使用、および低いスループットにつながり得る。失敗したCBGの再送信は、再送信のために使用されているサブフレームスロットの利用可能なリソースの一部分のみを占有し得るが、スロットの多数のリソースは占有されないままである。再送信は、失敗したCBGの再送信のみを可能にし、新しい、または追加のデータを可能にしないことがあるので、さらなる新しいデータを送信するためのスロットリソースの消耗/非利用のために、スループットが著しく影響され得る。
【００３８】
上記から、より高いスループットを達成するために、再送信スロットにおいて占有されていないリソースを効率的に使用するための方法が望ましいことを諒解されたい。1つの手法は、CBGレベルの再送信のために、RB割振りのサブセットをUEに割り当てること、および、リソース全体を利用するように、RB割振りの残りの部分において、別のUEをスケジュールすることを含み得る。ただし、そのようなソリューションは、占有されていないリソースを共有し得る別のアクティブなUEの利用可能性に依存することがあり、したがって、そのようなアクティブなUEが利用可能でないとき、機能しないことがある。
【００３９】
本開示の一態様によれば、スロットごとに複数のHARQプロセスが、効率的なCBGレベルのHARQ動作を容易にするために利用される。以下で説明するように、この態様によれば、(第1のHARQプロセス識別子(ID)を有する)第1のHARQプロセスのTBに関連付けられ得る、前の送信に対応する、失敗したCBGの再送信に加えて、(第2の/異なるHARQプロセスIDを有する)異なるHARQプロセスの別のTBに関連付けられた追加のデータが、それにおいて失敗したCBGが再送信されるスロット/サブフレームの占有されていないリソース上で送信され得る。いくつかの構成では、たとえば、HARQプロセスID Xを有する、あるHARQプロセスに関連付けられた第1のトランスポートブロックに対応するCBGの再送信は、ID Xを有するHARQプロセスとは異なる1つまたは複数の他のHARQプロセスのトランスポートブロックレベルまたはCBGレベルの再送信とともに可能である。
【００４０】
図5は、たとえば、スロットごとに複数のHARQプロセスの使用など、提案する方法の様々な特徴が利用され得る通信システムにおける、基地局502とUE504との間のシグナリング交換を示す図500である。すなわち、失敗したCBGの再送信に加えて、別個の/異なるHARQプロセスの新しい/追加のデータをもつ新しいTBが、たとえば、同じスロット/アグリゲートされたスロット、またはミニスロットにおいて送信される。説明の目的で、図4に関して説明したものと同じ/同様の例を考えられたい。基地局502は、eMBB通信が進行中である、たとえば、eMBBデータが初期(最初)の送信として送信されている間、ある低レイテンシデータを送る必要があり得る。前に説明したように、基地局502は、URLLCデータを通信するために使用するために、1つまたは複数のeMBBリソースをパンクチャし得る。基地局502は、URLLCデータのためのリソースパンクチャリングのために影響を受ける/影響されるeMBBリソースを示す、パンクチャリング指示510を、UE504に送り得る。パンクチャリング指示510を受信すると、UE504は、URLLCデータのためにパンクチャされた、影響されたeMBBリソースを決定し得、初期の送信において影響を受けたリソースにおいて、基地局502から送信された1つまたは複数のCBGをさらに決定し得る。UE504は、(たとえば、どの干渉/雑音も、影響を受けないeMBBリソースに影響を与えなかったと仮定すると)影響を受けないリソースにおけるeMBBデータに対応するCBGの復号に成功し得るが、同じことは、影響されたリソースにおける1つまたは複数のCBGには当てはまらないことがあり、UE504は、影響を受けたeMBBリソースにおける1つまたは複数のCBGが適切に復号不可能であった、たとえば、サイクリック冗長検査(CRC)に失敗したと決定し得る。したがって、いくつかの構成では、UE504は、影響を受けたリソースにおいて受信されたデータに対応するLLRをヌルアウトし得る。また、UE504は、たとえば、干渉、雑音などのために、他のパンクチャされないリソースにおける他のCBGを復号することにも同様に失敗し、復号を失敗させることがある。したがって、UE504は、復号不可能であった、1つまたは複数のCBGの再送信が必要とされると決定し得る。したがって、UE504は、UEが復号に失敗したCBGを示す、ACK/NACKフィードバック512を基地局502に送り、それによって、基地局502が、どのCBGが再送信される必要があるかを決定することを可能にし得る。ACK/NACKフィードバック512は、各ビットがCBGに対応し、対応するCBGが復号されるか、復号に失敗されるかを示す、マルチビットビットマップであり得る。たとえば、初期/最初の送信(例では図示せず)は、12個のCBGを含み得、UE504は、4つのCBGの復号に失敗し得る。この例では、ACK/NACKフィードバック512は、「111100010111」などのCBGビットマップであり得、ただし、「1」は、対応するCBGの復号に成功することを示す、ACKを表し得、「0」は、たとえば、CRCまたは何らかの他のチェックの基準に失敗することによって、対応するCBGが復号に失敗したことを示す、NACKを表す。CBGビットマップの最上位ビット(MSB)は、最初のCBGに対応し得、最下位SBは、最後のCBGに対応し得る。
【００４１】
次に、基地局502が、UE504からのACK/NACKフィードバック512を適切に復号して、どのCBGが再送信される必要があるかを決定すると仮定すると、基地局502は、UE504が前の送信において復号に失敗した、失敗したCBGを、再送信514において再送信し得る。ただし、一態様によれば、再送信されるCBGとともに、新しいデータの追加のトランスポートブロックもまた、UE504に送信され得る。追加のトランスポートブロックは、初期(前)の送信にはなかった新しいデータに対応するコードブロックまたはCBGを含み得る。いくつかの構成では、再送信されるCBGは、新しい/追加のデータのトランスポートブロックとともに、サブフレームにおいて再送信される。たとえば、CBGは、サブフレームにおける第1のシンボルのセットに関連付けられた第1のミニスロットにおいて再送信され得るが、新しいデータは、同じサブフレームにおける第2のシンボルのセットに対応する第2のミニスロットにおいて送信される。いくつかの構成では、第1のシンボルのセットおよび第2のシンボルのセットは、たとえば、時間に関して異なる。たとえば、第1のシンボルのセットは、第2のシンボルのセットよりも時間的に早くなり得、したがって、同じサブフレームにおいて送信されながら、CBGの再送信は、新しいデータのトランスポートブロックの送信の前であり得る。再送信されるCBGを含むトランスポートブロックと、新しいデータのトランスポートブロックとの間の、そのようなリソースの分割は、垂直分割、たとえば、1スロット内の時分割多重化(TDM)と呼ばれることがある。しかしながら、いくつかの他の構成では、第1のシンボルのセットおよび第2のシンボルのセットは同じであり、CBG再送信およびデータのために使用されるリソースの分離は、サブキャリア/周波数に関する。CBG再送信と新しいデータの送信との間のそのようなリソースの分割は、水平分割、たとえば、元のリソース/リソースブロックのセット上の周波数分割多重化(FDM)と呼ばれることがある。
【００４２】
いくつかの構成の一態様によれば、基地局502は、再送信されるCBGおよび新しいデータの復号および復調を容易にするために、ダウンリンク制御情報(DCI)516をUE504に送り得る。たとえば、いくつかの構成では、基地局502は、たとえば、UE504によって受信された、再送信されたCBGを復号するより前でも、フィードバック512においてUE504によって識別された同じCBG、たとえば、前の送信において復号に失敗したCBGを、基地局502が送ったか否かを、UE504が決定することを可能にするために、送信されているCBGのサブセットを示す情報を含むDCIを送り得る。基地局502がUE504からのACK/NACKフィードバック512を正しく復号していない場合があり、したがって、UE504によって要求されたものとは異なるCBGを再送信した場合があるという可能性があり得る。いくつかの構成では、基地局502によって再送信されているCBGを示す、DCI516における情報は、CBGビットマップまたはCBGマスクの形式であり得、その場合、ビットマップ/マスクの1つまたは複数のビットが、どのCBGが再送信されるかを示す。再送信されるCBGのためのDCI516におけるビットマップまたはCBGマスクは、UE504からのACK/NACKフィードバック512に基づき得る。
【００４３】
いくつかの構成では、簡単のために、最大2つのHARQプロセス、たとえば、再送信されるCBGに関連付けられた一方のHARQプロセスと、新しいデータのTBに関連付けられた他方のHARQプロセスとの混合が使用される。DCI516を介して、基地局502は、どのTBおよび/またはCBGのセットがどのHARQプロセスIDに関連付けられるか、ならびに、サブフレームにおけるリソースが、再送信されているCBGと新しいデータのTBとの間にどのように割り振られるかを、UE504に通知し得る。周波数領域では、リソース割振りは、CBG再送信と、新しいデータに対応するTBの送信の両方に共通であり得るが、時間領域では、これらの2つは、異なるリソース、たとえば、異なるミニスロットを占有し得る。いくつかの構成では、別個のHARQプロセスのCBG再送信および(新しいデータに対応する)TB送信は、ミニスロットベースである。したがって、基地局502は、たとえば、分離が時間領域におけるものである場合、これらの2つの間のスロット/ミニスロット境界を示すことによって、CBG再送信および新しいデータに対応する他のTBがサブフレームにおいてどのように通信されるかを、UE504に通知する必要があり得る。たとえば、再送信されるCBGおよび新しいデータのTBが、サブフレームのスロット中にある場合、スロットの第1のOFDMシンボルのセットが、再送信されるCBGのために使用され得るが、スロットの別のOFDMシンボルのセットが、新しいデータのTBのために使用され得、ただし、第1のOFDMシンボルのセットが第1のミニスロットに対応すると見なされ得、第2のOFDMシンボルのセットが第2のミニスロットに対応し得る。したがって、いくつかの構成では、DCI516は、第1のTBに関連付けられた再送信されるCBGと、第2のTBに関連付けられた新しいデータとの間の、スロット/ミニスロット境界を示し得る。いくつかの構成では、DCI516は、送信される新しいデータに関連付けられた変調およびコーディング方式(MCS)を示す情報をさらに含み得る。
【００４４】
UE504を参照すると、受信されたDCI516を使用して、UE504は、要求されたCBGが再送信されるか否かを決定し、再送信が正しい場合、たとえば、再送信が、UE504において復号に失敗したCBGを搬送する場合、受信された、再送信されたCBGを、引き続き復号し得る。CBG再送信は、特殊なMCS、たとえば、CBG再送信のために割り振られたリソースの数、および送信されるCBGの数を知ることに基づいて、UE504によって導出され得る、暗黙的なMCSに基づき得る。したがって、いくつかの構成では、基地局502は、再送信されるCBGのためのMCSを明示的に示さないことがあり、そのような情報は、むしろ暗黙的であり得る。UE504は、たとえば、基地局502から通信された前の許可/スケジューリング情報に基づいて、CBGの再送信のためのリソース割振りを承知していることがあり、たとえば、DCI516において明示的に示されるか、または、たとえば、CRCビットにおいて、暗黙的に伝達され得る、送信されているCBGを示す情報から、送信されているCBGの数を決定し得る。しかしながら、受信されたDCI516に基づいて、UE504が、要求されたCBGが受信された再送信中にないと決定する場合、UE504は、受信されたCBGを処理、たとえば、復号しないように判断し得、CBGの、たとえば、CBGレベルNACKを送ることによって、再送信を再度要求し得る。また、いくつかの要求されたCBGが再送信されるが、要求されたCBGのうちの1つまたは複数が再送信中に欠落している場合、UE504は、たとえば、依然として基地局502から再送信される必要がある1つまたは複数のCBGを示す、別のCBGレベルNACKを送り得る。
【００４５】
いくつかの構成では、再送信のためのCBG識別情報が、明示的または暗黙的にシグナリングされ得る。UE504が、初期の送信において受信されたCBGのセットからのCBGのサブセットの再送信を(アップリンクにおけるフィードバック512を介して)要求することを考えられたい。基地局502におけるCBG再送信リストは、たとえば、基地局502における誤りのために、および/または、UE504からのフィードバック512の、基地局502による誤った復号のために、UE504によって要求されたものとは異なり得る。基地局502およびUE504が(たとえば、どのCBGが再送信される必要があるかに関して)整合されることを保証するために、2つの構成が提案される。第1の構成では、再送信されるCBGのリストがDCI516において追加され得る、明示的シグナリングが使用され得る。たとえば、リストは、上記で説明したビットマップの形式であり得る。DCI516を受信すると、UE504は、正しいCBGが再送信されるか否かを決定することが可能であり得る。いくつかのCBGが正しく再送信されない場合、UE504は、別の再送信をトリガするために、別のACK/NACKフィードバックを送り得る。第2の構成では、暗黙的シグナリングが利用され得る。たとえば、DCI516を送るとき、基地局502におけるCBGビットマップが、CRC生成中に含まれ得る。たとえば、制御ペイロード、たとえば、再送信されている1つまたは複数のCBGのためのDCI516のペイロードのためのCRCビットを生成する間、CBGビットマップが、CRC生成構成要素/モジュールに入力されているDCI516のペイロードのビットに付加され得る。したがって、CRC生成構成要素によって生成された、得られたCRCビットは、CBGビットマップも暗黙的に示し得る。いくつかの他の構成では、CBGビットマップは、CRCビットをスクランブルするために使用され得る。したがって、CBGビットマップ、および/または再送信されているCBGを示す情報は、多くの方法で明示的または暗黙的に伝達され得る。UE504側では、UE504は、DCI516の復号時に、CRCチェックを実行するとき、CRCビットを使用し得、CRCが失敗する場合、UE504は、再送信されたCBGが(たとえば、フィードバック512を介して)要求されたものと同じではないことを知り得る。暗黙的シグナリング手法では、DCI情報オーバーヘッドが、明示的シグナリングの場合と比較して、著しく低減される。
【００４６】
別の態様によれば、MIMO構成が使用され得る。MIMOの場合、同じHARQプロセスに関連付けられた最大2つのトランスポートブロック(TB)の送信が可能である。すなわち、送信されている2つのTBは、同数の時間周波数リソースを共有し得、同じHARQプロセスに関連付けられ得るが、TBは、依然として空間領域において直交している。したがって、MIMO構成では、所与のHARQプロセスのための単一のTBで開始するのではなく、基地局は、MIMOの様式で同じHARQプロセスに関連付けられた2つのTBとの初期の送信を開始し得る。たとえば、初期の送信では、基地局は、MIMOの様式において同じ第1のHARQプロセス(たとえば、HARQ ID=X)に関連付けられた2つのTB(たとえば、TB0、TB1)で、たとえば、2つのTB、たとえば、TB0に対応するCBGを搬送する第1のストリームと、TB1に対応するCBGを搬送する第2のストリームとを搬送する、2つの空間的に分離したストリームの第1のMIMO送信で開始し得る。受信するUEにおいて、UEは、2つのTBの各々に対応するいくつかのCBGを復号することに失敗し、復号に失敗したCBGの再送信を要求し得る。そのような場合、MIMO構成では、基地局は、MIMOの様式において新しい/追加のデータのための別の1つまたは複数の新しい/追加のTB(たとえば、TB2、TB3)とともに、(HARQ ID=Xに関連付けられた)2つのTBに対応する、失敗したCBGを再送信し得、その場合、1つまたは複数の新しい/追加のTBが、第1のHARQプロセスとは異なる(同じ)第2のHARQプロセス(たとえば、HARQ ID=Y)に関連付けられ得る。たとえば、2つのTBに対応するCBGの失敗したサブセットは、TB2およびTB3のCBGをも含み得る第2のMIMO送信を介して送信され得る。図5に関して前に説明したものと同様の方法で、最初の2つのTBのCBGと新しいTBのCBGとの間の割振りは、ミニスロットレベルであり得る。ただし、最初の2つのTB(TB0、TB1)では、異なる数のCBGが、各TBのために再送信される必要があり得、たとえば、TBのうちの一方は、他方のTBよりも多数のCBGが再送信されることを必要とし得る。たとえば、TB0に対応する2つのCBGが再送信を必要とし得、TB1に対応する5つのCBGが再送信を必要とし得る。したがって、TB0およびTB1に対応するCBGの再送信のために必要とされ得るリソースにおける不均衡があり得る。そのような場合、本開示の特徴によれば、TBの両方のためのリソースが依然として整合され得る。たとえば、一態様では、TB0再送信がより少ない数のリソースを必要とする場合、TB0再送信に割り振られたリソースが、TB1 CBG再送信のために割り振られたリソースと同じサイズになるように修正され、それによって、不均衡が除去され、MIMO構成も再送信のために利用されることが可能になり得る。いくつかの構成では、初期のTBに対応するCBGの再送信のために割り振られたリソースは、一貫した区分が再送信において使用されるように、MCSを修正することによって、均等化される。
【００４７】
一構成では、送信側、たとえば、基地局は、CBGのセットの初期の送信のためにMIMOを使用し得、その場合、CBGのセットは、第1のTBおよび第2のTB(たとえば、TB0、TB1)に対応し得、第1のMIMO送信を介して、(たとえば、第1のHARQプロセスに関連付けられた)同じHARQプロセスIDとともに送信される。CBGのサブセットが、受信側、たとえば、UEにおいて復号に失敗すると仮定すると、UEは、第1のMIMO送信に応答して、ACK/NACKフィードバックを提供し得る。次いで、基地局は、異なる(たとえば、第2の)HARQプロセスに関連付けられた新しいデータに対応する1つまたは複数のTBとともに、サブフレームにおいて、第2のMIMO送信を介して、(第1のHARQプロセスに関連付けられた)CBGのサブセットを再送信し得る。
【００４８】
マルチHARQ ACK/NACKフィードバック設計に関する様々な態様もまた開示される。一態様では、追加のシグナリングが、CBGレベルACK/NACKとTBレベルフィードバックとの間で区別するために導入され得る。説明のために、UE(たとえば、UE504)が第1の送信において復号に失敗したいくつかのCBGを含む第1のTB(たとえば、TB0)の再送信とともに、新しいデータに対応する第2のTB(たとえば、TB1)が送信されることを考えられたい。第1のTBおよび第2のTBは、異なるHARQプロセスに関連付けられ得る。一態様によれば、マルチHARQ ACK/NACKフィードバックがサポートされ、それを介して、TBレベルおよび/またはCBGレベルACK/NACKが、(異なるHARQプロセスに関連付けられた)異なる送信/再送信されるCBG、および/または対応するTBのために、基地局502に提供され得る。一態様では、受信するUEにおいて、(新しい/追加のデータに対応する)第2のTBが復号をパスするが、第1のTBにおける1つまたは複数の再送信されたCBGが適切に復号されない場合、UEは、第2のTBの受信の肯定応答も行いながら、第1のTBのCBG再送信が必要とされることをシグナリングし得る。すなわち、UE504は、後続の送信における第3のTBのための準備完了を示しながら、第1のTBに対応する、失敗したCBGの再送信を要求するために、再度ACK/NACKを送り得る。同様に、第2のTBの1つまたは複数のCBGが復号に失敗する場合、UE504が第2のTBの失敗したCBGのためのCBG再送信を要求するために、UE504は、ACK/NACKフィードバックを送る必要があり得る。組み合わせられたCBGレベルおよびTBレベルのHARQ動作の一態様によれば、フィードバックは、一方のTBのCBGに対応するCBGレベルACK/NACK指示のためのビットのセットと、TBレベルACK/NACKのための1ビットと、どのTBがCBGレベルACK/NACKを行っているか(たとえば、どのTBにCBGレベルACK/NACKが対応するか)を示すための1ビットとを含み得る。一構成では、受信側(たとえば、UE)および送信側(たとえば、基地局)が、TBを復号する順序に基づいて、フィードバックの順序を調整する場合、どのTBがCBG ACK/NACKを行っているかを示すための1ビットが回避され得る。
【００４９】
ワーストケースのシナリオでは、再送信されたTB0および第2のTB(TB1)のCBGが両方とも失敗する。両方のTBのためのCBG再送信が実行され得るが、複雑度が高くなり得る。たとえば、TB1の送信と一緒のTB0におけるCBGの再送信後、UE504が両方のTBにおけるいくつかのCBG(たとえば、TB0とTB1の両方のいくつかのCBG)を復号することに失敗する場合、UE504は、異なるTB(TB0およびTB1)の各々に対応するどのCBGが失敗したかを、基地局に通知する必要があり得る。この場合、UE504は、ACK/NACKフィードバックにおいて2つのCBGレベルの指示(たとえば、ビットマップ)を送る必要があり得る。しかしながら、2つのそのようなビットマップを送るには、多数のビットが必要であり、それによって、アップリンク制御シグナリングオーバーヘッドおよび複雑度が増す。複数のCBGレベルの指示が招く追加のフィードバックは、いくつかの構成では許容可能であり得るが、全体的な複雑度およびアップリンクシグナリングオーバーヘッドが、この手法では増すので、そのようなフィードバックを送ることは、多くの場合、望ましくないことがある。代替的に、そのようなシナリオでは、一態様によれば、UE504は、そのためのCBGの再送信が要求され得るTBのうちの一方を選択し、他方のTBを無視して、シグナリングオーバーヘッドおよび複雑度を回避し得る。そのような場合、UE504は、TBのうちの一方(たとえば、TB0)のための1ビットTBレベルNACKと、他方のTBのためのビットのセット(CBGレベルACK/NACK、たとえば、他方のTB(たとえば、TB1)のための失敗したCBGのためのビットマップ)と、どのTBがCBGレベルACK/NACKを行っているかを示す/識別するための1ビットとをもつ、フィードバックを送るように構成され得る。選定されたTBのための1ビットTBレベルNACKは、UEが所与のTBを復号することに失敗したことを、単に示し得る。これによって、フィードバックのためのアップリンクシグナリングにおけるオーバーヘッドの低減が可能になる。
【００５０】
さらなる態様では、CBG細分性設計に関する特徴が開示される。いくつかの構成では、適応的CBG細分性が利用され得、その場合、CBGサイズがMCSおよび/またはトランスポートブロックサイズに基づく。いくつかの構成では、構成ごとにCBGごとに1つまたは2つのCBの固定されたグループ化がないことがあり、CBGサイズは、トランスポートブロックサイズ依存であり得る。マッピングは、確定的であるか、またはCBG構成に基づいて、半静的に構成され得る。たとえば、CBGサイズは、CBの数に依存し得る。いくつかの他の構成では、CBGサイズは、より動的であり得、前の送信におけるCBG失敗の数に依存し得る。具体的には、各CBGにおけるCBの数は、最初(たとえば、初期)の送信および再送信において異なり得る。たとえば、基地局502からUE504への初期の送信におけるTB0の各CBGにおけるCBの数は、再送信におけるTB0における各再送信されるCBGにおけるCBの数とは異なり得る。
【００５１】
図6は、提案する方法の様々な特徴が使用され得る通信システムの、基地局602とUE604との間のシグナリング交換の一例を示す図600を示す。基地局602は、12個のCBGをもつ初期の送信610を送り得、たとえば、第1のTBが12個のCBGを含み得る。UE604が初期の送信の4つのCBGの復号に失敗することを考えられたい。たとえば、UE604は、12個のうちの4つのCBGがCRCチェックに失敗したと決定し得る。UE604は、どのCBGの復号に成功したか、およびどれが復号に失敗したかを示す、復号されたCBGをACK/NACKするためのCBGマスク/ビットマップを含む、ACK/NACKフィードバック612を送り得る。失敗したCBGのための指示はまた、UE604が、失敗したCBGが再送信されることを必要とすることを伝達し得る。図示の例では、CBGビットマップは「111100010111」として示されており、ただし、CBGビットマップにおける1は、対応するCBGの復号に成功することを示し、0は、対応するCBGが復号されず、再送信される必要があることを示す。基地局602がフィードバック612を適切に復号すると仮定すると、基地局602は、CBGビットマップ「111100010111」から、第5、第6、第7、および第9のCBGが適切に復号されず、再送信される必要があると決定し得る。したがって、基地局602は、4つのCBGをもつ再送信614を送り得る。一態様によれば、基地局602はまた、基地局602およびUE604が同意しており、整合されることを保証するために、どのCBGが再送信されるかを示すために、たとえば、CBGマスク/ビットマップ「111100010111」を含む、ダウンリンク制御情報615を送り得る。CBGマスク/ビットマップは、ダウンリンク制御情報として、UE604に送られ得る。いくつかの構成では、(たとえば、HARQプロセスID=Xを有する)第1のHARQプロセスに関連付けられた第1のTB(たとえば、TB0)に関連付けられ得る、4つの失敗したCBGの再送信に加えて、(たとえば、第2のHARQプロセスID=Yを有する)異なるHARQプロセスの別のTB(たとえば、TB1)に関連付けられた追加のデータが、それにおいて4つの失敗したCBGが再送信されるサブフレームの他の占有されていないリソースにおいて、送信され得る。基地局602からCBGビットマップを受信すると、UE604は、ACK/NACKフィードバック612において送られたCBGビットマップを、615における受信されたCBGビットマップと比較し得る。例では、2つのビットマップが一致するので、UE604は、正しいCBGが再送信されたと決定し得、引き続きCBGを復号する。復号の成功/不成功において、UE604は、基地局602にACK/NACK616を送り得る。いくつかの構成では、新しい/追加のデータに対応する追加のTB(たとえば、TB1)が、再送信されるCBGを含むTB(たとえば、TB0)とともに受信される場合、ACK/NACK616は、TB0におけるデータのためのTBまたはCBGレベルACK/NACKと、TB1におけるデータのためのTBまたはCBGレベルACK/NACKとを含む、マルチHARQ ACK/NACKフィードバックであり得る。たとえば、UE604は、一方のTBのためのACKまたはNACK(たとえば、TB0のためのTBレベルACK/NACK)を示す単一のビットと、他方のTBのCBGのためのCBGレベルACK/NACK指示(たとえば、TB1のどのCBGが復号に成功したか、およびどのCBGが復号に失敗したかを示す、TB1のためのCBGレベルACK/NACK)を提供するビットのセットとを含む、ACK/NACKフィードバック616を送り得る。別の例では、UE604は、TB0のためのCBGレベルACK/NACKと、TB1のためのTBレベルACK/NACKとを含め得る。加えて、マルチHARQ ACK/NACKフィードバックの場合、フ���ードバック616は、どのTB(たとえば、TB0またはTB1)がCBGレベルACK/NACKを行っているかを示すために、1ビットをさらに含み得る。
【００５２】
図7は、提案する方法の様々な特徴が利用され得る通信システムにおける、基地局602とUE604との間のシグナリング交換の別の例を示す図700を示す。この例は、ACK/NACKフィードバックを復号中に、誤りが基地局で発生するシナリオを示す。この例では、基地局602は、12個のCBGをもつ初期の送信710を送り得、たとえば、第1のTBが12個のCBGを含み得る。UE604が初期の送信の4つのCBGの復号に失敗することを考えられたい。UE604は、どのCBGの復号に成功したか、およびどれが復号に失敗したかを示す、復号されたCBGをACK/NACKするためのCBGマスク/ビットマップを含む、ACK/NACKフィードバック712を送り得る。前述のように、失敗したCBGのための指示はまた、UE604が、失敗したCBGが再送信されることを必要とすることを伝達し得る。図6の例と同様に、説明の目的で、ACK/NACKフィードバック712におけるCBGビットマップが「111100010111」であり、ただし、1が、対応するCBGの復号に成功することを示し、0が、対応するCBGが復号に成功せず、再送信される必要があることを示すことが考えられ得る。基地局602は、フィードバック712を受信し得、フィードバック712を復号するように試み得る。この例では、復号誤りが発生し、基地局602においてフィードバック712の不適当な復号を引き起こすこと、および/または何らかの形で、復号されたCBGビットマップが破損していることを考えられたい。したがって、実際のCBGビットマップ「111100010111」ではなく、基地局602は、ビットマップ、たとえば、「111010011111」を復元し、したがって、第4、第6、および第7のCBGがUE604によって適切に復号されず、再送信される必要があると、誤って決定する。したがって、決定されたCBGビットマップに基づいて、基地局602は、3つのCBGをもつ再送信714を送り得る。基地局602は、再送信されるCBGを示すために、CBGマスク/ビットマップ「111010011111」を含むDCI715をさらに送り得る。上記で説明したように、いくつかの構成では、第1のHARQプロセス(たとえば、HARQプロセスID=X)に関連付けられた第1のTB(たとえば、TB0)に関連付けられ得る、失敗したCBGの再送信に加えて、異なるHARQプロセス(たとえば、HARQプロセスID=Y)に関連付けられた追加の/新しいデータの別のTB(たとえば、TB1)が、それにおいて1つまたは複数のCBGが再送信される同じサブフレームの他の占有されていないリソースにおいて、送信され得る。説明の目的で、第1のトランスポートブロックTB0における3つのCBGの再送信に加えて、新しい/追加のデータに対応する第2のTB(TB1)もまた、再送信714を搬送する同じサブフレーム/スロットにおいて送信されることを考えられたい。
【００５３】
基地局602からCBGビットマップを受信すると、UE604は、ACK/NACKフィードバック712において送られたビットマップを、DCI715における受信されたCBGビットマップと比較し得る。例では、2つのCBGビットマップが異なるので、比較が失敗し、したがって、UE604は、要求されたCBGのうちのいくつかが再送信されておらず、別のCBGレベル指示が、再送信、たとえば、図示の例では、第5および第9のCBGの再送信を要求するために必要とされ得ると決定し得る。さらに、新しい/追加のデータに対応するTB1(第2のTB)もまた、再送信714とともに(たとえば、同じサブフレームにおいて)、基地局602によって送信され、UE604によって受信されると仮定すると、UE604は、TB1を復号するように試み得る。前述のように、そのような場合、TB0およびTB1は、異なるHARQプロセスに関連付けられる。一態様によれば、次いで、UE604は、たとえば、依然として再送信される必要がある2つのCBG(たとえば、例では、第5および第9のCBG)を示す、CBGマスク/ビットマップ「111101110111」を含むマルチHARQ ACK/NACKフィードバック716を、基地局602に送り得る。加えて、TB1の復号に成功するか否かに応じて、ACK/NACKフィードバック716は、たとえば、TB1のためのTBレベルACK/NACK指示をさらに含み得る。たとえば、TB1の復号に成功する場合、TB0の失敗したCBGのためのCBGレベルフィードバック(たとえば、CBGマスク)に加えて、TBレベルACKが、マルチHARQ ACK/NACKフィードバック716の一部として含まれ得る。TB1のCBGのうちのいくつかが復号に失敗する場合、いくつかの構成では、TBレベルNACKが、たとえば、ACK/NACKフィードバック716の一部として送られ得る。加えて、ACK/NACKフィードバック716は、どのTB(たとえば、TB0またはTB1)がCBGレベルACK/NACKを行っているかを示すために、少なくとも1ビットをさらに含み得る。いくつかの構成では、CBGレベルACK/NACKフィードバックが、再送信されるCBGのために必要とされる場合、CBGレベルACK/NACKフィードバックではなく、新しいデータに対応するTB1のためのTBレベルACK/NACKが、いくつかの構成では(上記の例の場合のように)使用されて、そうでない場合、CBGレベルフィードバックがTB1のために提供されることになっていた場合に受けたであろう追加の複雑度および余分なビットオーバーヘッドが回避され得る。ただし、いくつかの構成では、CBGレベルACK/NACK(たとえば、CBGビットマップ)が、新しいデータに対応するTB1のために提供され得る。たとえば、ある場合には、UE604は、第1のTB(TB0)の再送信されたCBGを受信し、復号に成功し得るが、第2のTB(TB1)における新しいデータの1つまたは複数のCBGが、復号に失敗し得る。そのような場合、UE604は、第1のTB(TB0)のためのTBレベルACKと、第2のTB(TB1)のためのCBGレベルACK/NACKとを含む、フィードバックを送り得る。
【００５４】
基地局側では、基地局602は、フィードバック716を受信し、受信された情報を復号するように試み得る。フィードバック712での初回とは異なり、第2の事例では、基地局602がフィードバック716の復号に成功すると仮定すると、基地局602は、CBGビットマップ「111101110111」から、第5および第9のCBGが再送信される必要があると決定し得る。したがって、基地局602は、2つのCBG、たとえば、第5および第9のCBGを含む、第2の再送信718を送り得る。基地局602はまた、どのCBGが再送信されるかを示すために、CBGマスク/ビットマップ「111101110111」を含むダウンリンク制御情報719を送り得る。ダウンリンク制御情報719を受信すると、UE604は、(たとえば、フィードバック716のCBGビットマップと、ダウンリンク制御情報719の受信されたCBGビットマップとを比較することによって)正しいCBGが再送信されるか否かを決定するために、CBGビットマップ比較をもう一度実行し得る。この例では、ビットマップが一致すると考えると、UE604によって実行された比較は、パスを示し得、UE604は、第2の再送信718において受信された再送信されたCBGを引き続き復号し得る。復号に成功すると、UE604は、第2の再送信718において受信された、再送信されたCBGの復号の成功を肯定応答するために、基地局602にACK720を送り得る。
【００５５】
図8は、ワイヤレス通信の方法のフローチャート800である。フローチャート800の方法は、基地局(たとえば、基地局180/502/602)によって実行され得る。802で、基地局は、たとえば、初期の送信の一部として、UEにCBGのセットを送信し得る。たとえば、図6を参照すると、基地局は、UE604に、初期の送信610の一部として、CBGのセットを送信し得る。一構成では、CBGのセットは、DL PDSCHのトランスポートブロック/コードワードの一部であり得、たとえば、その場合、トランスポートブロックにおけるDL PDSCHコードブロックが、CBGにグループ化される。804で、基地局は、送信されたCBGのセットのうちのCBGのサブセットが復号されることに失敗したことを示す、ACK/NACKフィードバックを、UEから受信し得る。たとえば、図6を参照すると、基地局602は、UE604において適切に復号されなかったCBGを示す情報を含む、ACK/NACKフィードバック612を、UE604から受信し得る。たとえば、どのCBGが適切に復号されていないかを示す情報は、CBGビットマップの形式であり得る。
【００５６】
806で、基地局は、受信されたACK/NACKフィードバックに基づいて、CBGのサブセットを再送信し得る。たとえば、再び図6を参照すると、基地局602は、UE604からACK/NACKフィードバック612を復号し、フィードバック中に含まれたCBGマスク/ビットマップに基づいて、どのCBGが再送信される必要があるかを決定し得る。再送信される必要があるCBGの決定に続いて、基地局602は、(再送信614において)要求されたCBGを再送信し得る。図5〜図7に関して前に説明したように、いくつかの構成では、TBにおけるCBGの再送信に加えて、基地局502はまた、新しい/追加のデータ、たとえば、再送信ではないデータの、新しいTBを送信し得る。いくつかの構成では、再送信されるCBGのサブセット、および新しい/追加のデータのTBが、同じサブフレームにおいて送信され得る。したがって、いくつかの構成では、サブフレームにおいて、再送信されるCBGのサブセットを含むTBを送信する806における動作の一部として、808で、基地局はまた、同じサブフレームにおいて、UEに、新しいデータに対応する別のTBの少なくとも一部分を送信し得る。いくつかの構成では、再送信されているCBGのサブセットは、第1のHARQプロセスに関連付けられた第1のTBに対応し、新しい/追加のデータの他方のTB(たとえば、第2のTB)は、第1のHARQプロセスとは異なる第2のHARQプロセスに関連付けられ得る。いくつかのそのような構成では、第1のTBおよび第2のTBは、サブフレームの同じスロット内であり得る。
【００５７】
いくつかの構成では、第1のTBは、第1のHARQプロセスに関連付けられ得、第2のTBは、第1のHARQプロセスとは異なる第2のHARQプロセスに関連付けられ得る。いくつかの構成では、CBGのサブセットは、サブフレームにおける第1のシンボルのセットに対応する第1のミニスロットにおいて再送信され得、第2のTBの部分は、サブフレームにおいて、第2のシンボルのセットに対応する第2のミニスロットにおいて送信され得る。いくつかの構成では、第1のシンボルのセットおよび第2のシンボルのセットは、異なり得る。いくつかの構成では、第1のシンボルのセットは、第2のシンボルのセットよりも時間的に早くなり得る。いくつかの他の構成では、第1のシンボルのセットおよび第2のシンボルのセットは、同じであり得る。いくつかの構成では、CBGのサブセットは、サブフレームの第1のリソースブロックのセットにおいて再送信され得、新しいデータは、サブフレームの第2のリソースブロックのセットにおいて送信され得、ただし、第1のリソースブロックのセットが第2のリソースブロックのセットとは異なり得る。
【００５８】
810で、基地局は、再送信されているCBGのサブセットを示す情報を送信し得る。たとえば、図5を参照すると、基地局502は、再送信されているCBGを示すCBGビットマップを含む、DCI516を送信し得る。同様に、図6を参照すると、基地局602は、再送信されるCBGを示すCBGマスク/ビットマップ「111100010111」を送信し得る。
【００５９】
いくつかの構成では、再送信されているCBGのサブセットを示す情報は、どのCBGが再送信されているかを示す、CBGレベルビットマップを含み得る。たとえば、図6を参照すると、再送信されているCBGのサブセットを示す情報は、第5、第6、第7、および第9のCBGが再送信されることを示す、CBGマスク/CBGビットマップ111100010111であり得る。いくつかの構成では、再送信されているCBGのサブセットを示す情報は、DCIメッセージにおいて送信され得る。いくつかの構成では、DCIメッセージは、再送信されるCBGのサブセットに対応する第1のTBと、新しいデータに対応する第2のTBとの間のスロット境界、または送信された新しいデータに関連付けられた変調およびコーディング方式のうちの少なくとも1つをさらに示し得る。いくつかの構成では、再送信されているCBGのサブセットを示す情報は、DCIメッセージにおいて明示的に示される。いくつかの構成では、再送信されているCBGのサブセットを示す情報は、サイクリック冗長検査(CRC)内で暗黙的に示され、たとえば、CBGビットマップがCRCビット中に含まれる。
【００６０】
DCIメッセージに基づいて、受信するUEは、正しいCBGが再送信されたか否かを決定し得る。たとえば、DCIが、再送信されるCBGを示すCBGビットマップを含む場合、UEは、UEによって基地局に送られたACK/NACKフィードバック中に含まれたCBGビットマップに対して、受信されたCBGビットマップをチェックし得る。次いで、UEは、たとえば、正しいCBGのサブセットが再送信されたとき、再送信されたCBGを引き続き復号し得る。新しい/追加のデータに対応する第2のTBが、再送信されるCBGのサブセットを含む第1のTBとともに、基地局によって送信されると仮定すると、UEはまた、第2のTBのCBGを復号するように試み得る。UEにおける復号の成功/不成功に基づいて、812で、基地局は、UEからACK/NACK(たとえば、図6のACK/NACK616など)を受信し得る。受信されたACK/NACKは、(808で、新しいデータの第2のTBもまた送信されたと仮定して)第1のTBと第2のTBの両方に関するフィードバックを含む、マルチHARQ ACK/NACKフィードバックであり得る。たとえば、マルチHARQ ACK/NACKフィードバックは、第1のTB0におけるデータのためのTBまたはCBGレベルACK/NACKと、第2のTBにおけるデータのためのTBまたはCBGレベルACK/NACKとを含み得る。マルチHARQ ACK/NACKは、たとえば、一方のTBのためのACKまたはNACK(たとえば、第1または第2のTBのためのTBレベルACK/NACK)を示す単一のビットと、他方のTBのCBGのためのCBGレベルACK/NACK指示(たとえば、第1または第2のTBのうちの他方のTBのためのCBGレベルACK/NACK)を提供するビットのセットとを含む、マルチビットフィードバックであり得る。さらに、いくつかの構成では、マルチHARQ ACK/NACKフィードバックは、どのTB(たとえば、第1のTBまたは第2のTB)がCBGレベルACK/NACKを行っているかを示すために、1ビットをさらに含み得る。
【００６１】
1つの特定のMIMO構成では、(たとえば、802で送信された)CBGのセットは、第1のMIMO送信を介して送信された第1のTBおよび第2のTBに対応し、ただし、第1のTBおよび第2のTBは、第1のHARQプロセスに関連付けられ得、(たとえば、804で受信された)ACK/NACKフィードバックは、第1のMIMO送信に応答して受信され得る。そのようなMIMO構成では、CBGのサブセットは、第1のHARQプロセスに関連付けられ、第2のHARQプロセスに関連付けられた新しいデータに対応する1つまたは複数のTBとともに、サブフレームにおいて、第2のMIMO送信を介して再送信される。
【００６２】
いくつかの構成では、CBG(たとえば、再送信されているCBGのセット/CBGのサブセットのうちのCBG)のサイズは、CBGが対応するトランスポートブロックのサイズに基づいて構成可能であり得る。いくつかの構成では、送信されたCBGのセットの各CBGにおけるコードブロックの数は、再送信されているCBGのサブセットの各CBGにおけるCBの数とは異なる。
【００６３】
図9は、ワイヤレス通信の方法のフローチャート900である。フローチャート900の方法は、UE(たとえば、UE104/504/604/1050/1202など)によって実行され得る。902で、UEは、基地局からCBGのセットを受信し得る。たとえば、図6を参照すると、UE604は、基地局602から、たとえば、初期の送信610の一部として、CBGのセットを受信し得る。904で、UEは、基地局から受信されたCBGのセットのうちの1つまたは複数のCBGが、UEにおいて適切に復号されることに失敗したと決定し得る。決定は、たとえば、1つまたは複数のCBGについての失敗したCRCに基づき得る。たとえば、図6を参照すると、UE604は、基地局602によって送信された12個のCBGのうちの4つのCBGを復号することに失敗し得る。たとえば、UE604は、受信された12個のCBGを復号すること、およびCRCビットを復元することを試み得る。次いで、UE604は、CRCを実行し、CRCが4つのCBGについて失敗したと決定し得る。したがって、UEは、それらの4つのCBGが復号に失敗したと結論付け得る。906で、UEは、適切に復号されることに失敗したCBGのセットのうちの1つまたは複数のCBGを示すACK/NACKフィードバックを、基地局に送り得る。いくつかの構成では、基地局から受信されたCBGのセットの初期の送信に応答して、および、CBGのセットのうちの1つまたは複数のCBGが、UEにおける復号に失敗したと決定すると、ACK/NACKフィードバックがUEによって送られ得る。前に詳細に説明したように、いくつかの構成では、ACK/NACKフィードバックは、適切に復号されることに失敗したCBG(たとえば、CBGのセットのサブセット)を示すCBGビットマップを含み得る。たとえば、図6を参照すると、ACK/NACKフィードバック612は、CBGビットマップ「111100010111」を伝達し得、ただし、ビットマップにおける「0」のロケーションは、失敗したCBGのインデックスを示し得る。復号失敗は、1つまたは複数のCBGについての失敗したCRCから決定され得る。ある意味では、UEから基地局へのACK/NACKフィードバックはまた、UEにおいて復号に失敗した1つまたは複数のCBGの再送信の要求の働きをする。
【００６４】
908で、UEは、基地局からのCBGのセットにおけるCBGの再送信と、再送信されたCBGを示す、たとえば、再送信されるCBGのセットからのCBGを示す情報とを受信し得る。基地局が、UEからのACK/NACKフィードバックを正しく復号した場合、CBGの再送信は、復号に失敗した(再送信されるように要求された)1つまたは複数のCBGを含み得る。たとえば、再び図6を参照すると、UE604は、4つのCBGを含む、基地局602からの再送信614と、基地局602から再送信されるCBGを示す情報、たとえば、CBGビットマップ「111100010111」とを受信し得る。再送信されたCBGを示すCBGマスク/ビットマップは、図6のDCI615など、DCIメッセージにおいて受信され得る。いくつかの構成では、CBGレベルビットマップが、CBGのセットのうちのどのCBGが再送信されているかを示すので、CBGのセットのうちの再送信されるCBGを示す情報が、DCIメッセージにおいて明示的に示されるが、いくつかの他の構成では、CBGのセットのうちの再送信されるCBGを示す情報が、DCIメッセージのCRCビット内で、DCIメッセージにおいて暗黙的に示される。そのような構成では、UE604は、CRCビットに基づいて、送信されているCBGのセットにおけるCBGを決定し得る。基地局において、UEからのACK/NACKフィードバックを復号する際に誤り/間違いが発生する場合、再送信は、UEにおいて復号に失敗し、そのための再送信が要求された、同じ1つまたは複数のCBGを含まないことがある。
【００６５】
いくつかの構成では、CBGのサブセットが、サブフレームにおいて受信され得、UEは、910で図示するように、同じサブフレームにおいて、基地局から(たとえば、再送信ではない)新しい/追加のデータをさらに受信し得る。たとえば、いくつかの構成では、第1のTB中に含まれ得るCBGの再送信に加えて、基地局602はまた、再送信されるCBGのTBを搬送する同じサブフレーム/スロットにおいて、新しい/追加のデータの第2のTB(または、第2のTBの少なくとも一部分)を送信し得る。いくつかの構成では、第1のTBは、第1のHARQプロセスに関連付けられ得、第2のTBは、第1のHARQプロセスとは異なる第2のHARQプロセスに関連付けられ得る。いくつかの構成では、再送信されるCBGは、サブフレームにおける第1のシンボルのセットに対応する第1のミニスロットにおいて受信され得、新しいデータは、サブフレームにおいて、第2のシンボルのセットに対応する第2のミニスロットにおいて受信され得る。いくつかの構成では、CBGビットマップの通信に加えて、DCIは、再送信されるCBGに対応する第1のTBと、新しいデータに対応する第2のTBとの間のスロット境界、または新しいデータに関連付けられたMCSのうちの少なくとも1つをさらに示し得る。
【００６６】
いくつかの構成では、912で、UEは、CBGのセットのうちの再送信されるCBGを示す情報に基づいて、CBGの再送信が、復号に失敗した1つまたは複数のCBGを含むか否かを決定し得る。たとえば、図7を参照すると、UE604は、基地局602からDCI715において受信されたCBGマスク/ビットマップを、ACK/NACKフィードバック712において示されたCBGビットマップと比較して、一致があるか否かを確かめ得る。いくつかの構成では、動作は、912における決定に基づいて進行し得る。いくつかの構成では、912で、DCIによって示されるような再送信されるCBGが、そのための再送信が要求されたCBGに対応しない(たとえば、CBGビットマップが一致しない)と決定すると、UEは、サブセットのうちの1つまたは複数のCBGのうちのどれが依然として再送信される必要があるかを決定し得る。UEが、再送信されるCBGの第1のTBとともに、(たとえば、910で説明したように)新しいデータの第2のTBを受信すると仮定すると、一構成では、914で、UEは、第2のTBの新しいデータに対応するCBGを復号するように試み得る。UEは、912で、CBGの再送信が、そのための再送信が要求された1つまたは複数のCBGのすべてを含むとは限らない(CBGビットマップ比較が失敗した)と、すでに決定したので、915で、UEは、基地局によって依然として再送信される必要があるCBGを示す、CBGレベルACK/NACK(たとえば、CBGビットマップ)を含む、別のACK/NACKフィードバックを基地局に送り得る。たとえば、別のACK/NACKフィードバックは、図7に関して上記で説明したACK/NACKフィードバック716であり得る。一構成では、新しいデータに対応する第2のTBの復号に成功するか否かに応じて、別のACK/NACKフィードバックは、たとえば、第2のTBのためのTBレベルACK/NACK指示をさらに含み得る。加えて、別のACK/NACKフィードバック716は、どのTB(たとえば、第1のTBまたは第2のTB)がCBGレベルACK/NACKを行っているかを示すために、少なくとも1ビットをさらに含み得る。動作は、CBGのセットの受信および復号に成功し得るまで、(908に戻るループによって示すように)このようにして継続し得るか、または、プロセスは、ある所定数の繰返し後のある時点において終了され得る。
【００６７】
一方、CBGのセットのうちの再送信されるCBGを示す情報(たとえば、DCI)に基づいて、912で、CBGの再送信が1つまたは複数のCBGを含む(たとえば、CBGビットマップが一致する)と決定される場合、動作は916に進み得る。916で、(説明の目的で、新しいデータの第2のTBが、再送信されるCBGとともに受信されると仮定すると)UEは、受信された第1のTBの再送信されたCBGと、第2のTBの新しいデータに対応するCBGとを引き続き復号し得る。当業者には理解され得るように、916における復号の結果に応じて、動作は異なる方法で進行し得るが、理解および簡単であることを可能にするために、1つの具体例について、918、920、および922における動作に関して説明する。
【００６８】
説明の目的で、UEによって受信された第1のTBの少なくともいくつかの再送信されたCBGが復号に失敗するが、新しいデータに対応する第2のTBのCBGの復号に成功することを考えられたい。918で、UEは、第1のTBの少なくとも1つの再送信されたCBGが復号に失敗したと決定し得る。たとえば、図6を参照すると、UE604は、再送信614において受信された第1のTBの4つの再送信されたCBGを復号しようと試み得、たとえば、少なくとも1つの再送信されたCBGを復号することに失敗し得る。しかしながら、920で、UEは、第2のTBに対応するCBGの復号に成功すると決定し得る。第2のTBが復号に成功したので、一態様によれば、UEは、送信側(たとえば、基地局)に、第2のTBの復号ステータスを示すために、TBレベルACK/NACKフィードバック(たとえば、1ビット)を単に提供し得る。しかしながら、第1のTBの少なくとも1つの再送信されたCBGが復号に失敗したので、少なくとも1つのCBGの再送信が所望される場合、UEは、CBGレベルACK/NACKを提供することによって、どの少なくとも1つの再送信されたCBGが復号に失敗したかを示す必要があり得る。したがって、一態様によれば、922で、UEは、復号されることに失敗した少なくとも1つの再送信されたCBGを示す、第1のCBGレベルACK/NACKと、第2のTBの復号に成功したことを示す、TBレベルACKと、CBGレベルACK/NACKが第1のTBに対応することを示す、インジケータとを含む、第2のACK/NACKフィードバックを送り得る。たとえば、図6を参照すると、復号が、再送信614において受信された第1のTB(TB1)に対応する少なくとも1つの再送信されたCBGについて失敗するが、復号が、再送信されたCBGとともに受信された第2のTB(TB1)について成功する場合、UE604は、復号に失敗した少なくとも1つのCBGを示すための、TB0のためのCBGレベルACK/NACKと、TB1が復号に成功したことを示すための、TB1のためのTBレベルACKと、CBGレベルACK/NACK(たとえば、CBGビットマップ)が第1のTB(TB0)のCBGのためのものであることを示すための、インジケータ(1ビット)とを含む、ACK/NACKフィードバック616を送り得る。別の場合には、第1のTBに対応するすべての再送信されたCBGが、復号に成功し得るが、新しいデータに対応する第2のTBの1つまたは複数のCBGが、復号に失敗し得る。そのような場合には、第2のACK/NACKフィードバックは、第1のTBのためのTBレベルACK(1ビット)と、第2のTBのためのCBGレベルACK/NACK(マルチビット)と、CBGレベルACK/NACKが第2のTB(TB1)に対応することを示すための、インジケータ(1ビット)とを含み得る。動作は、CBGのセットの受信および復号に成功し得るまで、(908に戻るループによって示すように)このようにして継続し得るか、または、プロセスは、ある所定数の繰返し後のある時点において終了され得る。たとえば、第2のACK/NACKに応答して、UEは、少なくとも1つの再送信されるCBG(および、場合によっては、新しいデータの別のTB)を含み得る、別の送信を受信し得る。UEはまた、再送信されているCBGを示すDCIを受信し得る。UEは、その後、912〜920に関して説明したものと同様の処理を実行し、復号の結果に基づいて、ACK/NACKを送り得る。たとえば、復号の成功を仮定すると、UEはACKを送り得、さらなる再送信が必要とされないことがある。
【００６９】
図10は、例示的な装置1002における異なる手段/構成要素間のデータフローを示す概念データフロー図1000である。装置1002は、基地局(たとえば、基地局180、310、502、602、1250など)であり得る。装置1002は、受信構成要素1004と、決定構成要素1006と、DCI生成構成要素1008と、制御構成要素1009と、送信構成要素1010とを含み得る。
【００７０】
受信構成要素1004は、たとえば、UE1050を含む、他のデバイスからのメッセージおよび/または他の情報を受信するように構成され得る。受信構成要素1004によって受信された信号/情報は、フローチャート800の方法を含む、上記で説明した方法に従って、さらなる処理および様々な動作の実行における使用のために、装置1002の1つまたは複数の構成要素に提供され得る。いくつかの構成では、受信構成要素1004は、送信されたCBGのセットのうちのCBGのサブセットがUEにおいて復号されることに失敗したことを示す、ACK/NACKフィードバックを、UE(たとえば、UE1050)から受信し得る。いくつかの構成では、ACK/NACKフィードバックは、装置1002からUE1050へのCBGのセットの初期の送信に応答したものである。たとえば、図6を参照すると、受信されたACK/NACKフィードバックは、基地局602によってUE604から受信されたCBGビットマップを含む、ACK/NACKフィードバック612であり得る。
【００７１】
いくつかの構成では、受信構成要素1004は、受信されたACK/NACKフィードバックを処理し、決定構成要素1006にフィードバック情報を提供し得る。決定構成要素1006は、情報(たとえば、受信されたフィードバックにおけるCBGマスク/ビットマップ)に基づいて、UE1050に再送信される必要があるCBGのサブセットを決定するように構成され得る。決定構成要素1006は、DCI生成構成要素1008および/または送信構成要素1010に、再送信されるべきCBGのサブセットに関する情報を提供するようにさらに構成され得る。
【００７２】
DCI生成構成要素1008は、受信されたACK/NACKフィードバックに応答して、装置1002によって再送信されているCBGのサブセットを示す情報を含む、ダウンリンク制御情報を生成するように構成され得る。いくつかの構成では、決定構成要素1006からの入力に基づいて、DCI生成構成要素1008は、どのCBGが再送信されているかを決定し、DCI生成構成要素1008によって生成されたDCIメッセージに、再送信されているCBGのサブセットを示す情報を含め得る。いくつかの構成では、再送信されているCBGのサブセットを示す情報は、DCI生成構成要素1008によって生成されたCBGビットマップであり得る。たとえば、図6を参照すると、再送信されているCBGのサブセットを示す情報は、DCI615中に含まれたCBGビットマップであり得る。いくつかの他の構成では、再送信されているCBGの明示的指示ではなく、再送信されているCBGのサブセットを示すCBGビットマップが、たとえば、CRCビットにおいて、暗黙的シグナリングを介して伝達され得る。たとえば、いくつかの構成では、CBGビットマップは、図5に関してより詳細に説明するように、DCIペイロードのCRCビットにおいて暗黙的に示され得る。
【００７３】
送信構成要素1010は、たとえば、UE1050を含む、1つまたは複数の外部デバイスに、データおよび/または他の制御情報を送信するように構成され得る。いくつかの構成では、送信構成要素1010は、単体で、コントローラ/制御構成要素1009と組み合わせて、および/またはコントローラ/制御構成要素1009の制御下で、たとえば、最初/初期の送信において、UE1050に、たとえば、TBに関連付けられたCBGのセットを送信するように構成され得る。たとえば、図6を参照すると、初期の送信610は、UEへの12個のCBGを含むTBを含み得る。送信構成要素1010は、単体で、コントローラ/制御構成要素1009と組み合わせて、および/またはコントローラ/制御構成要素1009の制御下で、受信されたACK/NACKフィードバックに基づいて、CBGのサブセットを再送信するようにさらに構成され得る。送信構成要素1010は、たとえば、DCIの一部として、再送信されているCBGのサブセットを示す情報を送信するようにさらに構成され得る。いくつかの構成では、CBGのサブセットは、サブフレームにおいて再送信され、第1のTBに対応する。いくつかのそのような構成では、送信構成要素1010は、サブフレームにおいて、UEに、新しいデータに対応する第2のTBの少なくとも一部分を送信するようにさらに構成され得る。いくつかのそのような構成では、(DCI生成構成要素1008からの)生成されたDCIは、CBGのサブセットに対応する第1のトランスポートブロックと、新しいデータに対応する第2のトランスポートブロックとの間のスロット境界、または新しいデータに関連付けられたMCSのうちの少なくとも1つをさらに示し得る。
【００７４】
1つのMIMO構成では、最初に送信されるCBGのセットは、送信構成要素1010によって、第1のMIMO送信を介して送信され得る、第1のTBおよび第2のTBに対応し得る。そのようなMIMO構成では、第1のTBおよび第2のTBは、第1のHARQプロセスに関連付けられ得る。再送信されているCBGのサブセットもまた、第1のHARQプロセスに関連付けられ、送信構成要素1010は、第2のHARQプロセスに関連付けられた新しいデータに対応する1つまたは複数のTBとともに、サブフレームにおいて、第2のMIMO送信を介して、CBGのサブセットを再送信するように構成され得る。
【００７５】
装置は、図8の上述のフローチャートの中のアルゴリズムのブロックの各々を実行する追加の構成要素を含み得る。したがって、図8の上述のフローチャートの中の各ブロックは、1つの構成要素によって実行されることがあり、装置は、それらの構成要素のうちの1つまたは複数を含み得る。構成要素は、述べられたプロセス/アルゴリズムを遂行するように具体的に構成された1つもしくは複数のハードウェア構成要素であるか、述べられたプロセス/アルゴリズムを実行するように構成されたプロセッサによって実装されるか、プロセッサによる実装のためにコンピュータ可読媒体内に記憶されるか、またはそれらの何らかの組合せであり得る。
【００７６】
図11は、処理システム1114を採用する装置1002'のためのハードウェア実装形態の一例を示す図1100である。処理システム1114は、バス1124によって全体的に表されるバスアーキテクチャを用いて実装され得る。バス1124は、処理システム1114の特定の適用例および全体的な設計制約に応じて、任意の数の相互接続バスとブリッジとを含み得る。バス1124は、プロセッサ1104、構成要素1004、1006、1008、1009、1010、およびコンピュータ可読媒体/メモリ1106によって表される1つまたは複数のプロセッサおよび/またはハードウェア構成要素を含む、様々な回路を互いにリンクする。バス1124はまた、タイミングソース、周辺装置、電圧調整器、および電力管理回路などの、様々な他の回路をリンクし得るが、それらは当技術分野においてよく知られており、したがって、これ以上説明しない。
【００７７】
処理システム1114は、トランシーバ1110に結合され得る。トランシーバ1110は、1つまたは複数のアンテナ1120に結合される。トランシーバ1110は、送信媒体上の様々な他の装置と通信するための手段を提供する。トランシーバ1110は、1つまたは複数のアンテナ1120から信号を受信し、受信された信号から情報を抽出し、抽出された情報を処理システム1114に、特に受信構成要素1004に提供する。加えて、トランシーバ1110は、処理システム1114から、特に送信構成要素1010から情報を受信し、受信された情報に基づいて、1つまたは複数のアンテナ1120に印加されるべき信号を生成する。処理システム1114は、コンピュータ可読媒体/メモリ1106に結合されたプロセッサ1104を含む。プロセッサ1104は、コンピュータ可読媒体/メモリ1106に記憶されたソフトウェアの実行を含む、一般的な処理を担う。ソフトウェアは、プロセッサ1104によって実行されると、任意の特定の装置について上記で説明した様々な機能を処理システム1114に実行させる。コンピュータ可読媒体/メモリ1106は、ソフトウェアを実行するときにプロセッサ1104によって操作されるデータを記憶するためにも使用され得る。処理システム1114は、構成要素1004、1006、1008、1009、および1010のうちの少なくとも1つをさらに含む。それらの構成要素は、プロセッサ1104の中で動作し、コンピュータ可読媒体/メモリ1106の中に存在する/記憶されたソフトウェア構成要素、プロセッサ1104に結合された1つもしくは複数のハードウェア構成要素、またはそれらの何らかの組合せであり得る。処理システム1114は、基地局310の構成要素であり得、メモリ376、ならびに/または、TXプロセッサ316、RXプロセッサ370、およびコントローラ/プロセッサ375のうちの少なくとも1つを含み得る。
【００７８】
一構成では、ワイヤレス通信のための装置1002/1002'は、送信されたCBGのセットのうちのCBGのサブセットが復号されることに失敗したことを示す、ACK/NACKフィードバックを、UEから受信するための手段を含む。いくつかの構成では、装置1002/1002'は、ACK/NACKフィードバックに基づいて、CBGのサブセットを再送信するための手段をさらに備える。いくつかの構成では、装置1002/1002'は、再送信されているCBGのサブセットを示す情報を送信するための手段をさらに含み得る。
【００７９】
いくつかの構成では、CBGのサブセットは、サブフレームにおいて再送信され、第1のTBに対応する。1つのそのような構成では、送信するための手段は、サブフレームにおいて、UEに、新しいデータに対応する第2のTBの少なくとも一部分を送信するようにさらに構成され得る。いくつかの構成では、CBGのサブセットは、サブフレームにおける第1のシンボルのセットに対応する第1のミニスロットにおいて再送信され、第2のTBの部分は、サブフレームにおける第2のシンボルのセットに対応する第2のミニスロットにおいて送信される。第1のシンボルのセットおよび第2のシンボルのセットは、異なり得る。いくつかの構成では、第1のシンボルのセットは、第2のシンボルのセットよりも時間的に早くなり得る。第1のシンボルのセットおよび第2のシンボルのセットは、同じであり得る。一構成では、CBGのサブセットは、サブフレームの第1のリソースブロックのセットにおいて再送信され、新しいデータは、サブフレームの第2のリソースブロックのセットにおいて送信され、ただし、第1のリソースブロックのセットが第2のリソースブロックのセットとは異なり得る。いくつかの構成では、第1のTBは、第1のHARQプロセスに関連付けられ得、第2のTBは、第1のHARQプロセスとは異なる第2のHARQプロセスに関連付けられ得る。
【００８０】
一構成では、CBGのセットは、第1のMIMO送信を介して送信された第1のTBおよび第2のTBに対応し、ただし、第1のTBおよび第2のTBは、第1のHARQプロセスに関連付けられ得、ACK/NACKフィードバックは、第1のMIMO送信に応答して受信され得る。CBGのサブセットは、第1のHARQプロセスに関連付けられ得、第2のHARQプロセスに関連付けられた新しいデータに対応する1つまたは複数のTBとともに、サブフレームにおいて、第2のMIMO送信を介して再送信され得る。
【００８１】
上述の手段は、上述の手段によって列挙された機能を実行するように構成された、装置1002、および/または装置1002'の処理システム1114の上述の構成要素のうちの1つまたは複数であり得る。上記で説明したように、処理システム1114は、TXプロセッサ316と、RXプロセッサ370と、コントローラ/プロセッサ375とを含み得る。したがって、一構成では、上述の手段は、上述の手段によって列挙された機能を実行するように構成されたTXプロセッサ316、RXプロセッサ370、およびコントローラ/プロセッサ375であり得る。
【００８２】
図12は、例示的な装置1202における異なる手段/構成要素間のデータフローを示す概念データフロー図1200である。装置1202は、UE(たとえば、UE104、350、504、604、1050など)であり得る。装置1202は、受信構成要素1204と、デコーダ/複号構成要素1206と、復号結果決定構成要素1208と、ACK/NACKフィードバック生成構成要素1210と、決定構成要素1212と、制御構成要素1214と、送信構成要素1216とを含み得る。
【００８３】
受信構成要素1204は、たとえば、基地局1250を含む、他のデバイスからのメッセージおよび/または他の情報を受信するように構成され得る。受信構成要素1204によって受信された信号/情報は、フローチャート900の方法を含む、上記で説明した方法に従って、さらなる処理および様々な動作の実行における使用のために、装置1202の1つまたは複数の構成要素に提供され得る。いくつかの構成では、受信構成要素1204は、たとえば、最初/初期の送信において、TBに関連付けられたCBGのセットを、基地局(たとえば、基地局1250)から受信し得る。たとえば、図6を参照すると、UE604は、基地局602から、12個のCBGを含むTBを含み得る初期の送信610を受信し得る。いくつかの構成では、受信構成要素1204は、CBGの再送信(たとえば、最初に送信されたCBGのセットからのCBGのサブセット)と、CBGのセットのうちの再送信されたCBGを示す(たとえば、DCI中に含まれた)情報とを受信するようにさらに構成され得る。いくつかの構成では、再送信されたCBGは、サブフレームにおいて受信された第1のTBに対応し得る。いくつかのそのような構成では、受信構成要素1204は、サブフレームにおいて、新しいデータに対応する第2のTBの少なくとも一部分を受信するようにさらに構成され得る。
【００８４】
デコーダ/複号構成要素1206は、受信された情報、たとえば、初期の送信において受信されたCBGのセット、再送信されたCBGのサブセット、および/または他の受信されたコード化情報を復号するように構成され得る。いくつかの構成では、復号構成要素は、受信構成要素1204の一部として実装され得る。復号結果決定構成要素1208は、(たとえば、復号構成要素1206から受信された復号結果に基づいて)受信されたCBGのセットの復号に成功するか、復号に失敗するかを決定するように構成され得る。いくつかの構成では、復号結果決定構成要素1208は、CBGの復号に成功したか否かを決定するために、CRCを実行するために、CRC構成要素を含み得る。いくつかの構成では、復号結果決定構成要素1208は、復号構成要素1206の一部として実装され得る。いくつかの構成では、復号結果決定構成要素1208は、基地局から受信されたCBGのセットのうちの1つまたは複数のCBGが、適切に復号されることに失敗したと決定するように構成され得る。いくつかの構成では、復号結果決定構成要素1208は、再送信されたCBGに関連付けられた第1のTBの少なくとも1つの再送信されたCBGが、適切に復号されることに失敗したこと、および、(新しいデータに対応する)第2のTBのCBGの復号に成功したことを決定するようにさらに構成され得る。たとえば、復号に失敗したCBGに関する、決定された復号結果情報は、装置1202の(たとえば、ACK/NACKフィードバック生成構成要素1210などの)1つまたは複数の他の構成要素に提供され得る。
【００８５】
ACK/NACKフィードバック生成構成要素1210は、復号結果決定構成要素1208から受信された情報に基づいて、ACK/NACKフィードバックを生成するように構成され得る。たとえば、ACK/NACKフィードバック生成構成要素1210は、適切に復号されることに失敗した、受信されたCBGのセットのうちの1つまたは複数のCBGを示す、ACK/NACKフィードバックを生成するように構成され得る。たとえば、図5〜図9に関して説明した、UEから基地局に送られる様々なACK/NACKフィードバックは、ACK/NACKフィードバック生成構成要素1210によって生成され得る。たとえば、一構成では、ACK/NACKフィードバック生成構成要素1210は、適切に復号されることに失敗した少なくとも1つの再送信されたCBGを示す、第1のCBGレベルACK/NACKと、第2のTBの復号に成功したことを示す、TBレベルACKと、CBGレベルACK/NACKが第1のTBに対応することを示す、インジケータとを含む、第2のACK/NACKフィードバックを生成するように構成され得る。
【００８６】
決定構成要素1212は、本開示の特徴による様々な情報および/またはパラメータを決定するために、受信されたDCIを処理するように構成され得る。いくつかの構成では、決定構成要素1212は、CBGのセットのうちの再送信されるCBGを示す情報に基づいて、受信されたCBGの再送信が、適切に復号されることに失敗した1つまたは複数のCBGを含むか否かを決定するように構成され得、ただし、再送信されるCBGを示す情報が、DCIの一部として受信され得る。いくつかの構成では、CBGのセットのうちの再送信されるCBGを示す情報が、CBGのセットのうちのどのCBGが再送信されているかを示すCBGレベルビットマップとして、DCIにおいて明示的に示される。いくつかのそのような構成では、決定構成要素1212は、DCIからのCBGレベルビットマップを、最初に受信されたCBGのセットのうちの1つまたは複数のCBGの復号の失敗の決定に応答して送られたACK/NACKフィードバックからのCBGマスク/ビットマップと比較するように構成され得る。図6〜図7に関して前に詳細に説明したように、CBGビットマップ比較は、再送信されるCBGが、復号に失敗し、再送信されるように要求された、1つまたは複数のCBGを含むか否かをチェックするために実行され得る。
【００８７】
いくつかの構成では、ACK/NACKフィードバックは、再送信されるCBGが、そのための再送信が要求されたCBGと同じであり、かつ/またはそのための再送信が要求されたCBGを含むか否かを示す、決定構成要素1212から受信された情報にさらに基づいて生成され得る。たとえば、一構成では、決定構成要素1212は、DCIに基づいて、復号に失敗し、そのための再送信が要求された、すべてのCBGを、再送信されたCBGが含むとは限らない(たとえば、決定構成要素によるCBGビットマップ比較が失敗していることがある)と決定し得る。そのような場合、決定構成要素1212からの入力に基づいて、ACK/NACKフィードバック生成構成要素1210は、依然として再送信される必要があるCBGを示す、(基地局1250に送るための)別のACK/NACKフィードバックを生成し得る。
【００８８】
いくつかの構成では、決定構成要素1212は、受信されたDCIにおける情報に基づいて、CBGのセットのうちの再送信されるCBGに対応する第1のTBと、新しいデータに対応する第2のTBとの間のスロット境界、または新しいデータに関連付けられたMCSのうちの少なくとも1つを決定するようにさらに構成され得る。いくつかの構成では、決定構成要素1212は、CBG再送信のために割り振られたリソースの数と、CBGのセットのうちの再送信されるCBGを示す(たとえば、DCIにおける)情報とに基づいて、CBGのセットのうちの再送信されるCBGに関連付けられたMCSを決定するようにさらに構成され得る。いくつかの構成では、CBGのセットのうちの再送信されるCBGを示す情報は、CRCビット内でDCIにおいて暗黙的に示され、決定構成要素1212は、CRCビットに基づいて、再送信中に含まれるCBGのセットのうちの再送信されるCBGを決定するようにさらに構成され得る。
【００８９】
送信構成要素1216は、たとえば、基地局1250を含む、1つまたは複数の外部デバイスに、ACK/NACKフィードバック、ユーザデータ、および/または他の情報を送信するように構成され得る。いくつかの構成では、送信構成要素1216は、単体で、コントローラ/制御構成要素1214と組み合わせて、および/またはコントローラ/制御構成要素1214の制御下で、上記で開示した方法に従って、ACK/NACK生成構成要素によって生成されたACK/NACKフィードバックを送るように構成され得る。一構成では、送信構成要素1216は、単体で、コントローラ/制御構成要素1214と組み合わせて、および/またはコントローラ/制御構成要素1214の制御下で、基地局1250に、適切に復号されることに失敗した1つまたは複数のCBGを示すACK/NACKフィードバックを送るように構成され得る。一構成では、送信構成要素1216は、単体で、コントローラ/制御構成要素1214と組み合わせて、および/またはコントローラ/制御構成要素1214の制御下で、適切に復号されることに失敗した少なくとも1つの再送信されたCBGを示す、第1のCBGレベルACK/NACKと、第2のTBの復号に成功したことを示す、TBレベルACKと、CBGレベルACK/NACKが第1のTBに対応することを示す、インジケータとを含む、第2のACK/NACKフィードバックを基地局1250に送るように構成され得る。
【００９０】
装置は、図9の上述のフローチャートの中のアルゴリズムのブロックの各々を実行する追加の構成要素を含み得る。したがって、図9の上述のフローチャートの中の各ブロックは、1つの構成要素によって実行されることがあり、装置は、それらの構成要素のうちの1つまたは複数を含み得る。構成要素は、述べられたプロセス/アルゴリズムを遂行するように具体的に構成された1つもしくは複数のハードウェア構成要素であるか、述べられたプロセス/アルゴリズムを実行するように構成されたプロセッサによって実装されるか、プロセッサによる実装のためにコンピュータ可読媒体内に記憶されるか、またはそれらの何らかの組合せであり得る。
【００９１】
図13は、処理システム1314を採用する装置1202'のためのハードウェア実装形態の一例を示す図1300である。処理システム1314は、バス1324によって全体的に表されるバスアーキテクチャを用いて実装され得る。バス1324は、処理システム1314の特定の適用例および全体的な設計制約に応じて、任意の数の相互接続バスとブリッジとを含み得る。バス1324は、プロセッサ1304、構成要素1204、1206、1208、1210、1212、1214、1216、およびコンピュータ可読媒体/メモリ1306によって表される1つまたは複数のプロセッサおよび/またはハードウェア構成要素を含む、様々な回路を互いにリンクする。バス1324はまた、タイミングソース、周辺装置、電圧調整器、および電力管理回路などの、様々な他の回路をリンクし得るが、それらは当技術分野においてよく知られており、したがって、これ以上説明しない。
【００９２】
処理システム1314は、トランシーバ1310に結合され得る。トランシーバ1310は、1つまたは複数のアンテナ1320に結合される。トランシーバ1310は、送信媒体上の様々な他の装置と通信するための手段を提供する。トランシーバ1310は、1つまたは複数のアンテナ1320から信号を受信し、受信された信号から情報を抽出し、抽出された情報を処理システム1314に、特に受信構成要素1204に提供する。加えて、トランシーバ1310は、処理システム1314から、特に送信構成要素1216から情報を受信し、受信された情報に基づいて、1つまたは複数のアンテナ1320に印加されるべき信号を生成する。処理システム1314は、コンピュータ可読媒体/メモリ1306に結合されたプロセッサ1304を含む。プロセッサ1304は、コンピュータ可読媒体/メモリ1306に記憶されたソフトウェアの実行を含む、一般的な処理を担う。ソフトウェアは、プロセッサ1304によって実行されると、任意の特定の装置について上記で説明した様々な機能を処理システム1314に実行させる。コンピュータ可読媒体/メモリ1306は、ソフトウェアを実行するときにプロセッサ1304によって操作されるデータを記憶するためにも使用され得る。処理システム1314は、構成要素1204、1206、1208、1210、1212、1214、1216のうちの少なくとも1つをさらに含む。それらの構成要素は、プロセッサ1304の中で動作し、コンピュータ可読媒体/メモリ1306の中に存在する/記憶されたソフトウェア構成要素、プロセッサ1304に結合された1つもしくは複数のハードウェア構成要素、またはそれらの何らかの組合せであり得る。処理システム1314は、UE350の構成要素であり得、メモリ360、ならびに/または、TXプロセッサ368、RXプロセッサ356、およびコントローラ/プロセッサ359のうちの少なくとも1つを含み得る。
【００９３】
一構成では、ワイヤレス通信のための装置1202/1202'は、基地局から受信されたCBGのセットのうちの1つまたは複数のCBGが、UEにおいて適切に復号されることに失敗したと決定するための手段を含み得る。装置1202/1202'は、適切に復号されることに失敗した1つまたは複数のCBGを示すACK/NACKフィードバックを、基地局に送るための手段をさらに含み得る。装置1202/1202'は、ACK/NACKフィードバックに応答して、CBGのセットのうちのCBGの再送信と、CBGのセットのうちの再送信されるCBGを示す情報とを、基地局から受信するための手段をさらに含み得る。
【００９４】
いくつかの構成では、再送信されるCBGは第1のTBに対応し、CBGの再送信はサブフレームにおいて受信される。いくつかのそのような構成では、装置1202/1202'は、サブフレームにおいて、基地局から、第2のTBに対応する新しいデータを受信するための手段をさらに含み得る。いくつかの構成では、第1のTBは、第1のHARQプロセスに関連付けられ、第2のTBは、第1のHARQプロセスとは異なる第2のHARQプロセスに関連付けられる。
【００９５】
いくつかの構成では、装置1202/1202'は、CBGのセットのうちの再送信されるCBGを示す情報に基づいて、CBGの再送信が、適切に復号されることに失敗した1つまたは複数のCBGを含むか否かを決定するための手段をさらに含み得る。いくつかの構成では、ACK/NACKフィードバックを送るための手段は、CBGの再送信が、適切に復号されることに失敗した1つまたは複数のCBGを含むか否かの決定に基づいて、別の(たとえば、第2の)ACK/NACKフィードバックを送るように構成され得る。
【００９６】
いくつかの構成では、装置1202/1202'は、第1のTBの少なくとも1つの再送信されたCBGが適切に復号されることに失敗したと決定するため、および、第2のTBの復号に成功したと決定するための手段を含み得る。いくつかのそのような構成では、ACK/NACKフィードバックを送るための手段は、第2のACK/NACKフィードバックを、基地局に送るように構成され得、第2のACK/NACKフィードバックが、適切に復号されることに失敗した少なくとも1つの再送信されたCBGを示す、第1のCBGレベルACK/NACKと、第2のTBの復号に成功したことを示す、TBレベルACKと、CBGレベルACK/NACKが第1のTBに対応することを示す、インジケータとを含む。
【００９７】
上述の手段は、上述の手段によって列挙された機能を実行するように構成された、装置1202、および/または装置1202'の処理システム1314の上述の構成要素のうちの1つまたは複数であり得る。上記で説明したように、処理システム1314は、TXプロセッサ368と、RXプロセッサ356と、コントローラ/プロセッサ359とを含み得る。したがって、一構成では、上述の手段は、上述の手段によって列挙された機能を実行するように構成されたTXプロセッサ368、RXプロセッサ356、およびコントローラ/プロセッサ359であり得る。
【００９８】
開示したプロセス/フローチャートにおけるブロックの特定の順序または階層は、例示的な手法の例示であることを理解されたい。設計上の選好に基づいて、プロセス/フローチャートにおけるブロックの特定の順序または階層が再構成され得ることを理解されたい。さらに、いくつかのブロックは組み合わせられてよく、または省略されてよい。添付の方法クレームは、様々なブロックの要素を例示的な順序で提示したものであり、提示された特定の順序または階層に限定されるものではない。
【００９９】
前述の説明は、いかなる当業者も、本明細書で説明した様々な態様を実践することが可能になるように提供される。これらの態様の様々な修正は、当業者に容易に明らかになり、本明細書で定義する一般原理は、他の態様に適用され得る。したがって、特許請求の範囲は、本明細書に示された態様に限定されるものではなく、クレーム文言と一致するすべての範囲を与えられるべきであり、単数形での要素への言及は、そのように明記されていない限り、「唯一無二の」ではなく、「1つまたは複数の」を意味するものとする。「例示的」という語は、本明細書では「例、事例、または例示として機能すること」を意味するために使用される。本明細書で「例示的」として説明するいかなる態様も、必ずしも他の態様よりも好ましいまたは有利なものと解釈されるべきではない。別段に明記されていない限り、「いくつかの」という用語は、1つまたは複数を指す。「A、B、またはCのうちの少なくとも1つ」、「A、B、またはCのうちの1つまたは複数」、「A、B、およびCのうちの少なくとも1つ」、「A、B、およびCのうちの1つまたは複数」、および「A、B、C、またはそれらの任意の組合せ」などの組合せは、A、B、および/またはCの任意の組合せを含み、複数のA、複数のB、または複数のCを含み得る。具体的には、「A、B、またはCのうちの少なくとも1つ」、「A、B、またはCのうちの1つまたは複数」、「A、B、およびCのうちの少なくとも1つ」、「A、B、およびCのうちの1つまたは複数」、および「A、B、C、またはそれらの任意の組合せ」などの組合せは、Aのみ、Bのみ、Cのみ、AおよびB、AおよびC、BおよびC、またはAおよびBおよびCであってもよく、任意のそのような組合せは、A、B、またはCのうちの1つまたは複数のメンバーを含み得る。当業者に知られているか、または後に知られることになる、本開示全体を通じて説明された様々な態様の要素に対するすべての構造的および機能的均等物が、参照により本明細書に明確に組み込まれ、特許請求の範囲によって包含されることが意図される。その上、本明細書に開示したものはいずれも、そのような開示が特許請求の範囲において明示的に列挙されているかどうかにかかわらず、公に供されるものではない。「モジュール」、「機構」、「要素」、「デバイス」などの語は、「手段」と
いう語の代用ではないことがある。したがって、いかなるクレーム要素も、その要素が「のための手段」という語句を使用して明確に列挙されていない限り、ミーンズプラスファンクションとして解釈されるべきではない。
【符号の説明】
【０１００】
100  ワイヤレス通信システムおよびアクセスネットワーク
102、310、402、502、602、1250  基地局
102'  スモールセル
104、350、404、504、604、1050  UE
110  地理的カバレージエリア、カバレージエリア
110'  カバレージエリア
120  通信リンク
132、134  バックホールリンク
150  Wi-Fiアクセスポイント(AP)、AP、Wi-Fi AP
152  Wi-Fi局(STA)、STA
154  通信リンク
160  発展型パケットコア(EPC)、EPC
162  モビリティ管理エンティティ(MME)、MME
164  他のMME
166  サービングゲートウェイ
168  マルチメディアブロードキャストマルチキャストサービス(MBMS)ゲートウェイ、MBMSゲートウェイ
170  ブロードキャストマルチキャストサービスセンター(BM-SC)、BM-SC
172  パケットデータネットワーク(PDN)ゲートウェイ、PDNゲートウェイ
174  ホーム加入者サーバ(HSS)
176  IPサービス
180  gノードB(gNB)、gNB、mmW基地局、基地局
184  ビームフォーミング
316  送信(TX)プロセッサ、TXプロセッサ
318TX、354TX  送信機
318RX、354RX  受信機
320、352、1120、1320  アンテナ
356、370  受信(RX)プロセッサ、RXプロセッサ
358、374  チャネル推定器
359、375  コントローラ/プロセッサ
360、376  メモリ
368  TXプロセッサ
410  パンクチャリング/プリエンプション指示(たとえば、URLLC指示)、パンクチャリング指示
510  パンクチャリング指示
512、612、712  ACK/NACKフィードバック、フィードバック
514、614、714  再送信
516  ダウンリンク制御情報(DCI)、DCI
610、710  初期の送信
615  ダウンリンク制御情報、DCI
616  ACK/NACK、ACK/NACKフィードバック、フィードバック
715  DCI
716  マルチHARQ ACK/NACKフィードバック、ACK/NACKフィードバック、フィードバック
718  第2の再送信
719  ダウンリンク制御情報
720  ACK
1002、1002'、1202、1202'  装置
1004、1204  受信構成要素、構成要素
1006、1212  決定構成要素、構成要素
1008  DCI生成構成要素、構成要素
1009、1214  制御構成要素、コントローラ/制御構成要素、構成要素
1010、1216  送信構成要素、構成要素
1104、1304  プロセッサ
1106、1306  コンピュータ可読媒体/メモリ
1110、1310  トランシーバ
1114、1314  処理システム
1124、1324  バス
1206  デコーダ/複号構成要素、復号構成要素、構成要素
1208  復号結果決定構成要素、構成要素
1210  ACK/NACKフィードバック生成構成要素、構成要素
【図１】
2020512741.tif 000003
【図２Ａ】
2020512741.tif 000004
【図２Ｂ】
2020512741.tif 000005
【図２Ｃ】
2020512741.tif 000006
【図２Ｄ】
2020512741.tif 000007
【図３】
2020512741.tif 000008
【図４】
2020512741.tif 000009
【図５】
2020512741.tif 000010
【図６】
2020512741.tif 000011
【図７】
2020512741.tif 000012
【図８】
2020512741.tif 000013
【図９】
2020512741.tif 000014
【図１０】
2020512741.tif 000015
【図１１】
2020512741.tif 000016
【図１２】
2020512741.tif 000017
【図１３】
2020512741.tif 000018
【国際調査報告】
2020512741.tif 000019
2020512741.tif 000020
2020512741.tif 000021
2020512741.tif 000022